(57)【要約】人間関係に関連した精神疾患の治療を効果的に行う。シート中央には、自己と相手についての特定のシーンを描かせる図描画エリア（１４０）が配置される。シート左側には、患者に自己の感情に丸印をつけさせる自己感情リスト（１２１）および相手への期待やその意図を記入させる自己メッセージ記入欄（１２２）が配置される。シート右側には、患者に相手の感情を想像して丸印をつけさせる相手感情リスト（１３１）および相手から自己への期待やその意図を想像して記入させる相手メッセージ記入欄（１３２）が配置される。シート下方には、上記シーンに第三者が存在したと仮定して、当該第三者のコメントを想像して記入させる第三者コメントエリア（１５０）が配置される。患者自身が各欄への記入を行うことにより、疾患が改善する。
2018073974.tif 000002
【特許請求の範囲】
【請求項１】
自己と特定の相手との間の人間関係に関連した精神疾患の治療に用いる精神疾患の治療用シートであって、
任意の図を描画するための空白部分を有する図描画エリア（１４０）と、自己の気持ちに関する情報を記入するための自己情報記入エリア（１２０）と、相手の気持ちに関する情報を記入するための相手情報記入エリア（１３０）と、第三者のコメントを記入するための第三者コメントエリア（１５０）と、を有し、
前記自己情報記入エリア（１２０）には、自己の感情を記入するための自己感情記入欄（１２１）が設けられ、前記相手情報記入エリア（１３０）には、相手の感情を記入するための相手感情記入欄（１３１）が設けられており、
前記自己感情記入欄（１２１）および前記相手感情記入欄（１３１）には、それぞれ、感情を示す単語を複数列挙した感情リストが配置されていることを特徴とする精神疾患の治療用シート。
【請求項２】
請求項１に記載の精神疾患の治療用シートにおいて、
自己感情記入欄（１２１）および相手感情記入欄（１３１）には、罫線で囲まれた複数のセルにそれぞれ感情を示す単語が記載された感情リストが配置されてことを特徴とする精神疾患の治療用シート。
【請求項３】
請求項１または２に記載の精神疾患の治療用シートにおいて、
図描画エリア（１４０）には、図を描くエリアであることを示す表題が記載されており、自己情報記入エリア（１２０）には、自己の情報を記入するエリアであることを示す表題が記載されており、相手情報記入エリア（１３０）には、相手の情報を記入するエリアであることを示す表題が記載されており、第三者コメントエリア（１５０）には、第三者のコメントを記入するエリアであることを示す表題が記載されていることを特徴とする精神疾患の治療用シート。
【請求項４】
請求項１〜３のいずれかに記載の精神疾患の治療用シートにおいて、
シートを縦方向に貫く中心線（Ｃ）を定義したときに、自己情報記入エリア（１２０）は前記中心線（Ｃ）よりも左側に配置され、相手情報記入エリア（１３０）は前記中心線（Ｃ）よりも右側に配置され、図描画エリア（１４０）および第三者コメントエリア（１５０）は前記中心線（Ｃ）を跨いで、前記中心線（Ｃ）が中心となるように配置されていることを特徴とする精神疾患の治療用シート。
【請求項５】
請求項１〜４のいずれかに記載の精神疾患の治療用シートにおいて、
自己情報記入エリア（１２０）は、更に、自己から相手に伝えたいメッセージを記入するための自己メッセージ記入欄（１２２）を含んでおり、
相手情報記入エリア（１３０）は、更に、相手から自己に伝えたいメッセージを記入するための相手メッセージ記入欄（１３２）を含んでいることを特徴とする精神疾患の治療用シート。
【請求項６】
請求項５に記載の精神疾患の治療用シートにおいて、
図描画エリア（１４０）、自己感情記入欄（１２１）、自己メッセージ記入欄（１２２）、相手感情記入欄（１３１）、相手メッセージ記入欄（１３２）、第三者コメントエリア（１５０）の順序で記入を行うことを示すための記入順序符号が各エリアもしくは各欄に記載されていることを特徴とする精神疾患の治療用シート。
【請求項７】
請求項５に記載の精神疾患の治療用シートを３組有する精神疾患の治療用具であって、
第１の治療用シート（１００）には、当該第１の治療用シートが第１番目の記入対象となるシートであることを示すシート種別記号が表示されたシート種別表示エリア（１１０）が設けられており、
第２の治療用シート（２００）には、当該第２の治療用シートが第２番目の記入対象となるシートであることを示すシート種別記号が表示されたシート種別表示エリア（２１０）が設けられており、
第３の治療用シート（３００）には、当該第３の治療用シートが第３番目の記入対象となるシートであることを示すシート種別記号が表示されたシート種別表示エリア（３１０）が設けられており、
前記第２の治療用シート（２００）には、前記第１の治療用シート（１００）の自己情報記入エリア（１２０）に記入された内容が相手に伝えられ、前記第１の治療用シート（１００）の相手情報記入エリア（１３０）に記入された内容が自己に伝えられたという想定で、当該第２の治療用シート（２００）への記入を行う旨の指示が記載されており、
前記第３の治療用シート（３００）には、前記第２の治療用シート（２００）の自己情報記入エリア（２２０）に記入された内容が相手に伝えられ、前記第２の治療用シート（２００）の相手情報記入エリア（２３０）に記入された内容が自己に伝えられたという想定で、当該第３の治療用シート（３００）への記入を行う旨の指示が記載されていることを特徴とする精神疾患の治療用具。
【請求項８】
請求項７に記載の精神疾患の治療用具において、
第３の治療用シート（３００）の第三者コメントエリア（３５０）には、特定の人物の感情およびアドバイスを記入する特定人物欄（３５１）と、一般第三者のコメントを記入するための一般第三者欄（３５２）と、が設けられており、
第１の治療用シート（１００）および第２の治療用シート（２００）には、図描画エリア（１４０，２４０）、自己感情記入欄（１２１，２２１）、自己メッセージ記入欄（１２２，２２２）、相手感情記入欄（１３１，２３１）、相手メッセージ記入欄（１３２，２３２）、第三者コメントエリア（１５０，２５０）の順序で記入を行うことを示すための記入順序符号が各エリアもしくは各欄に記載されており、
第３の治療用シート（３００）には、図描画エリア（３４０）、特定人物欄（３５１）、自己感情記入欄（３２１）、自己メッセージ記入欄（３２２）、相手感情記入欄（３３１）、相手メッセージ記入欄（３３２）、一般第三者欄（３５２）の順序で記入を行うことを示すための記入順序符号が各エリアもしくは各欄に記載されていることを特徴とする精神疾患の治療用具。
【請求項９】
請求項７または８に記載の精神疾患の治療用具において、
第１の治療用シート（１００）、第２の治療用シート（２００）、第３の治療用シート（３００）に加えて、更に、総括用シート（４００）を有し、
前記総括用シート（４００）には、当該総括用シートが第４番目の記入対象となるシートであることを示すシート種別記号が表示されたシート種別表示エリア（４１０）が設けられており、前記第１〜第３の治療用シートの記入内容の変遷を振り返ったときの感想を記入する旨の指示が記載されていることを特徴とする精神疾患の治療用具。
【請求項１０】
自己と特定の相手との間の人間関係に関連した精神疾患の治療に用いる精神疾患の治療装置（６００）であって、
治療を受けるユーザからの指示操作を入力する指示入力ユニット（６１０）と、前記ユーザに対する提示情報をディスプレイ画面上に表示する情報表示ユニット（６２０）と、前記指示入力ユニットが入力した指示操作に基づいて所定の提示情報を作成し、これを前記情報表示ユニットに与える情報処理ユニット（６３０）と、を備え、
前記情報処理ユニット（６３０）は、
前記ユーザに対して、自己と相手についての特定のシーンを示す図を描く旨の指示を与え、前記ユーザの指示操作に基づいてシーン図を作成し、これをディスプレイ画面上に表示する処理を行う描画処理部（６３１）と、
前記シーン図と、感情を示す単語を複数列挙した感情リストと、をディスプレイ画面上に表示させ、前記シーン図について前記ユーザ自身が抱く感情を、表示中の感情リストの中から選択する旨の指示を前記ユーザに対して与えることにより、特定の感情を自己感情として選択させる処理を行う自己感情選択部（６３２）と、
前記シーン図と、前記自己感情と、をディスプレイ画面上に表示させ、前記シーン図について自己が相手に伝えたいメッセージを入力する旨の指示を前記ユーザに対して与えることにより、特定のメッセージを自己メッセージとして入力する処理を行う自己メッセージ入力部（６３３）と、
前記シーン図と、感情を示す単語を複数列挙した感情リストと、をディスプレイ画面上に表示させ、前記シーン図について相手が抱くであろうと思われる感情を、表示中の感情リストの中から選択する旨の指示を前記ユーザに対して与えることにより、特定の感情を相手感情として選択させる処理を行う相手感情選択部（６３４）と、
前記シーン図と、前記相手感情と、をディスプレイ画面上に表示させ、前記シーン図について相手が自己に伝えたいであろうと思われるメッセージを入力する旨の指示を前記ユーザに対して与えることにより、特定のメッセージを相手メッセージとして入力する処理を行う相手メッセージ入力部（６３５）と、
前記シーン図と、前記自己感情および前記自己メッセージと、前記相手感情および前記相手メッセージと、をディスプレイ画面上に表示させ、前記シーン図に描かれているシーンに第三者が存在したと仮定した場合に、当該第三者が言及するであろうと思われるコメントを入力する旨の指示を前記ユーザに対して与えることにより、特定のコメントを第三者コメントとして入力する処理を行う第三者コメント入力部（６３６）と、
前記描画処理部、前記自己感情選択部、前記自己メッセージ入力部、前記相手感情選択部、前記相手メッセージ入力部、前記第三者コメント入力部が、所定の順序で順番に処理を行うように制御する統括制御部（６３７）と、
を有することを特徴とする精神疾患の治療装置。
【請求項１１】
請求項１０に記載の精神疾患の治療装置（６００）において、
描画処理部（６３１）、自己感情選択部（６３２）、自己メッセージ入力部（６３３）、相手感情選択部（６３４）、相手メッセージ入力部（６３５）、第三者コメント入力部（６３６）が、同一の表示画面を利用してユーザからの指示操作を入力し、当該指示操作によって入力された情報を当該同一の表示画面に表示させる一巡の情報入力機能を有し、
統括制御部（６３７）が、第１の表示画面（７１０）を利用した第１巡目の情報入力、第２の表示画面（７２０）を利用した第２巡目の情報入力、第３の表示画面（７３０）を利用した第３巡目の情報入力が順に行われるよう制御を行うことを特徴とする精神疾患の治療装置。
【請求項１２】
請求項１０または１１に記載の精神疾患の治療装置（６００）としてコンピュータを機能させるプログラム。
【発明の詳細な説明】
【技術分野】
【０００１】
本発明は、精神疾患の治療用具および治療装置に関し、特に、自己と特定の相手との間の人間関係に関連した精神疾患の治療に用いる精神疾患の治療用具および治療装置に関する。
【背景技術】
【０００２】
現代社会において、精神疾患や精神障害と呼ばれる症状をもつ患者は、今後も益々増加する傾向にあると予想されており、副作用のない効果的な治療法が望まれている。特に、心因性の精神疾患の典型例というべき鬱病は、社会活動の中枢をなす若年層から現役引退後の老年層に至るまで、幅広い年齢層で患者が発生しており、大きな社会問題になっている。鬱病患者は、強い悲しみ、失望感、意欲や集中力の低下、大きな不安感などを抱いており、不眠、食欲減退、頭痛などの症状を訴えることも少なくない。
このような鬱病の診断には、様々な方法が提案されている。たとえば、下記の特許文献１には、患者にカード状の質問票を渡して回答させ、得られた回答結果に基づいてファジィ推論を適用することにより、症状を正確に評価する技術が開示されている。一方、鬱病の治療方法も、種々の方法が提案され、実際に施術されている。たとえば、化学的な治療方法としては、様々な抗鬱薬が処方されている。また、物理的な治療方法も研究されており、たとえば、下記の特許文献２には、高周波パルス列の低周波シーケンスによって、脳のニューロンに対して電気的な刺激を与える精神疾患の治療装置が開示されている。また、特許文献３には、患者の目に対して左右に移動する発光点を提示することにより精神疾患を治療する顔面装着型の治療装置が開示されている。
【先行技術文献】
【特許文献】
【０００３】
【特許文献１】国際公開第ＷＯ２００４／０８０３１２号公報
【特許文献２】国際公開第ＷＯ２００６／０６３５５８号公報
【特許文献３】国際公開第ＷＯ２００９／１４２３８０号公報
【発明の概要】
【発明が解決しようとする課題】
【０００４】
現在、鬱病の治療法としては、投薬による化学的な治療法と、専門医によるカウンセリングによる方法が一般的である。ただ、薬物投与には副作用の問題があり、専門医によるカウンセリングだけでは、必ずしも効果的な治療を行うことができないという問題がある。特に、現代人の鬱病は、患者を取り巻く他人との人間関係に関連するものが多いが、専門医によるカウンセリングだけでは、患者の内的感情を正確に聞き出すことが困難であり、十分な治療効果を奏することができない。
そこで、本発明は、人間関係に関連した精神疾患の治療を効果的に行うことが可能な精神疾患の治療用具および治療装置を提供することを目的とする。
【課題を解決するための手段】
【０００５】
（１）  本発明の第１の態様は、自己と特定の相手との間の人間関係に関連した精神疾患の治療に用いる精神疾患の治療用シートにおいて、
任意の図を描画するための空白部分を有する図描画エリアと、自己の気持ちに関する情報を記入するための自己情報記入エリアと、相手の気持ちに関する情報を記入するための相手情報記入エリアと、第三者のコメントを記入するための第三者コメントエリアと、を設け、
自己情報記入エリアには、自己の感情を記入するための自己感情記入欄を設け、相手情報記入エリアには、相手の感情を記入するための相手感情記入欄を設けるようにし、
自己感情記入欄および相手感情記入欄には、それぞれ、感情を示す単語を複数列挙した感情リストを配置するようにしたものである。
（２）  本発明の第２の態様は、上述した第１の態様に係る精神疾患の治療用シートにおいて、
自己感情記入欄および相手感情記入欄に、罫線で囲まれた複数のセルにそれぞれ感情を示す単語が記載された感情リストを配置したものである。
（３）  本発明の第３の態様は、上述した第１または第２の態様に係る精神疾患の治療用シートにおいて、
図描画エリアには、図を描くエリアであることを示す表題が記載されており、自己情報記入エリアには、自己の情報を記入するエリアであることを示す表題が記載されており、相手情報記入エリアには、相手の情報を記入するエリアであることを示す表題が記載されており、第三者コメントエリアには、第三者のコメントを記入するエリアであることを示す表題が記載されているようにしたものである。
（４）  本発明の第４の態様は、上述した第１〜第３の態様に係る精神疾患の治療用シートにおいて、
シートを縦方向に貫く中心線を定義したときに、自己情報記入エリアは中心線よりも左側に配置され、相手情報記入エリアは中心線よりも右側に配置され、図描画エリアおよび第三者コメントエリアは中心線を跨いで、中心線が中心となるように配置されているようにしたものである。
（５）  本発明の第５の態様は、上述した第１〜第４の態様に係る精神疾患の治療用シートにおいて、
自己情報記入エリアは、更に、自己から相手に伝えたいメッセージを記入するための自己メッセージ記入欄を含んでおり、
相手情報記入エリアは、更に、相手から自己に伝えたいメッセージを記入するための相手メッセージ記入欄を含んでいるようにしたものである。
（６）  本発明の第６の態様は、上述した第５の態様に係る精神疾患の治療用シートにおいて、
図描画エリア、自己感情記入欄、自己メッセージ記入欄、相手感情記入欄、相手メッセージ記入欄、第三者コメントエリアの順序で記入を行うことを示すための記入順序符号が各エリアもしくは各欄に記載されているようにしたものである。
（７）  本発明の第７の態様は、上述した第５の態様に係る精神疾患の治療用シートを３組用いて精神疾患の治療用具を構成するようにし、
第１の治療用シートには、当該第１の治療用シートが第１番目の記入対象となるシートであることを示すシート種別記号が表示されたシート種別表示エリアが設けられており、
第２の治療用シートには、当該第２の治療用シートが第２番目の記入対象となるシートであることを示すシート種別記号が表示されたシート種別表示エリアが設けられており、
第３の治療用シートには、当該第３の治療用シートが第３番目の記入対象となるシートであることを示すシート種別記号が表示されたシート種別表示エリアが設けられており、
第２の治療用シートには、第１の治療用シートの自己情報記入エリアに記入された内容が相手に伝えられ、第１の治療用シートの相手情報記入エリアに記入された内容が自己に伝えられたという想定で、当該第２の洽療用シートへの記入を行う旨の指示が記載されており、
第３の治療用シートには、第２の治療用シートの自己情報記入エリアに記入された内容が相手に伝えられ、第２の治療用シートの相手情報記入エリアに記入された内容が自己に伝えられたという想定で、当該第３の治療用シートへの記入を行う旨の指示が記載されているようにしたものである。
（８）  本発明の第８の態様は、上述した第７の態様に係る精神疾患の治療用具において、
第３の治療用シートの第三者コメントエリアには、特定の人物の感情およびアドバイスを記入する特定人物欄と、一般第三者のコメントを記入するための一般第三者欄と、が設けられており、
第１の治療用シートおよび第２の治療用シートには、図描画エリア、自己感情記入欄、自己メッセージ記入欄、相手感情記入欄、相手メッセージ記入欄、第三者コメントエリアの順序で記入を行うことを示すための記入順序符号が各エリアもしくは各欄に記載されており、
第３の治療用シートには、図描画エリア、特定人物欄、自己感情記入欄、自己メッセージ記入欄、相手感情記入欄、相手メッセージ記入欄、一般第三者欄の順序で記入を行うことを示すための記入順序符号が各エリアもしくは各欄に記載されているようにしたものである。
（９）  本発明の第９の態様は、上述した第７または第８の態様に係る精神疾患の治療用具において、
第１の治療用シート、第２の治療用シート、第３の治療用シートに加えて、更に、総括用シートを設け、
総括用シートには、当該総括用シートが第４番目の記入対象となるシートであることを示すシート種別記号が表示されたシート種別表示エリアが設けられており、第１〜第３の治療用シートの記入内容の変遷を振り返ったときの感想を記入する旨の指示が記載されているようにしたものである。
（１０）  本発明の第１０の態様は、自己と特定の相手との間の人間関係に関連した精神疾患の治療に用いる精神疾患の治療装置において、
治療を受けるユーザからの指示操作を入力する指示入力ユニットと、ユーザに対する提示情報をディスプレイ画面上に表示する情報表示ユニットと、指示入力ユニットが入力した指示操作に基づいて所定の提示情報を作成し、これを情報表示ユニットに与える情報処理ユニットと、を設け、
情報処理ユニットが、
ユーザに対して、自己と相手についての特定のシーンを示す図を描く旨の指示を与え、ユーザの指示操作に基づいてシーン図を作成し、これをディスプレイ画面上に表示する処理を行う描画処理部と、
シーン図と、感情を示す単語を複数列挙した感情リストと、をディスプレイ画面上に表示させ、シーン図についてユーザ自身が抱く感情を、表示中の感情リストの中から選択する旨の指示をユーザに対して与えることにより、特定の感情を自己感情として選択させる処理を行う自己感情選択部と、
シーン図と、自己感情と、をディスプレイ画面上に表示させ、シーン図について自己が相手に伝えたいメッセージを入力する旨の指示をユーザに対して与えることにより、特定のメッセージを自己メッセージとして入力する処理を行う自己メッセージ入力部と、
シーン図と、感情を示す単語を複数列挙した感情リストと、をディスプレイ画面上に表示させ、シーン図について相手が抱くであろうと思われる感情を、表示中の感情リストの中から選択する旨の指示をユーザに対して与えることにより、特定の感情を相手感情として選択させる処理を行う相手感情選択部と、
シーン図と、相手感情と、をディスプレイ画面上に表示させ、シーン図について相手が自己に伝えたいであろうと思われるメッセージを入力する旨の指示をユーザに対して与えることにより、特定のメッセージを相手メッセージとして入力する処理を行う相手メッセージ入力部と、
シーン図と、自己感情および自己メッセージと、相手感情および相手メッセージと、をディスプレイ画面上に表示させ、シーン図に描かれているシーンに第三者が存在したと仮定した場合に、当該第三者が言及するであろうと思われるコメントを入力する旨の指示をユーザに対して与えることにより、特定のコメントを第三者コメントとして入力する処理を行う第三者コメント入力部と、
描画処理部、自己感情選択部、自己メッセージ入力部、相手感情選択部、相手メッセージ入力部、第三者コメント入力部が、所定の順序で順番に処理を行うように制御する統括制御部と、
を有するようにしたものである。
（１１）  本発明の第１１の態様は、上述した第１０の態様に係る精神疾患の治療装置において、
描画処理部、自己感情選択部、自己メッセージ入力部、相手感情選択部、相手メッセージ入力部、第三者コメント入力部が、同一の表示画面を利用してユーザからの指示操作を入力し、当該指示操作によって入力された情報を当該同一の表示画面に表示させる一巡の情報入力機能を有するようにし、
統括制御部が、第１の表示画面を利用した第１巡目の情報入力、第２の表示画面を利用した第２巡目の情報入力、第３の表示画面を利用した第３巡目の情報入力が順に行われるよう制御を行うようにしたものである。
（１２）  本発明の第１２の態様は、上述した第１０または第１１の態様に係る精神疾患の治療装置を、コンピュータにプログラムを組み込むことにより構成したものである。
【発明の効果】
【０００６】
本発明に係る精神疾患の治療用シートには、自己と相手についての特定のシーンを描くための図描画エリアと、自己の感情や相手へのメッセージを記入するための自己情報記入エリアと、相手の感情や自己へのメッセージを推察して記入するための相手情報記入エリアと、第三者のコメントを記入するための第三者コメントエリアと、が設けられている。したがって、この治療用シートに記入を行う患者は、ある特定のシーンを思い浮かべながら、その時の自分の感情や相手に伝えたい内容を整理することができ、更に、これに応じて相手から返されるであろう相手の感情やメッセージを思い浮かべることができ、更に、当該シーンに第三者が居た場合を想定して、当該第三者のコメントを推察することができる。このため、相手に対する自分の気持ちを整理することができ、相手の立場や第三者の目を通じた客観的な状況把握を行うことができるようになり、患者自身の自発的な精神活動により、鬱病の効果的な治療が可能になる。
また、本発明に係る精神疾患の治療用具は、上記治療用シートを３組有しており、患者に対して、これら３組のシートに順次記入する操作を行わせることができる。しかも、３組のシートには、時系列的な順番が定められており、前のシートに記入した内容が相手方に伝えられたものとして、次のシートへの記入が促されるため、相手に対する感情に変化を誘発させる効果が得られるため、より効果的な治療が可能になる。
一方、本発明に係る精神疾患の治療装置は、コンピュータの画面を利用して、患者からの入力を受け付け、その結果をコンピュータの画面に表示することにより、上記治療用シートや上記治療用具と同等の効果を、コンピュータの画面上で奏することが可能になる。
【図面の簡単な説明】
【０００７】
図１は、本発明に係る精神疾患の治療用シートの基本的なエリア構成を示す平面図である。
図２は、本発明に係る精神疾患の治療用シートの具体的な実施例を示す平面図である。
図３は、図２に示す治療用シートを含む精神疾患の治療用具の構成を示す図である。
図４は、図３に示す精神疾患の治療用具の構成要素となる第１の治療用シート１００の平面図である。
図５は、図３に示す精神疾患の治療用具の構成要素となる第２の治療用シート２００の平面図である。
図６は、図３に示す精神疾患の治療用具の構成要素となる第３の治療用シート３００の平面図である。
図７は、図３に示す精神疾患の治療用具の構成要素となる総括用シート４００の平面図である。
図８は、図４に示す第１の治療用シート１００に対して患者が記入作業を完了した状態を示す平面図である。
図９は、図５に示す第２の治療用シート２００に対して患者が記入作業を完了した状態を示す平面図である。
図１０は、図６に示す第３の治療用シート３００に対して患者が記入作業を完了した状態を示す平面図である。
図１１は、図７に示す総括用シート４００に対して患者が記入作業を完了した状態を示す平面図である。
図１２は、図４に示す第１の治療用シート１００のより具体的な実施例の一例を示す平面図である。
図１３は、図５に示す第２の治療用シート２００のより具体的な実施例の一例を示す平面図である。
図１４は、図６に示す第３の治療用シート３００のより具体的な実施例の一例を示す平面図である。
図１５は、図７に示す総括用シート４００のより具体的な実施例の一例を示す平面図である。
図１６は、本発明に係る精神疾患の治療装置６００の基本構成を示すブロック図である。
図１７は、図１６に示す治療装置６００における情報表示ユニット６２０によって表示される画面の一例を示す図である。
図１８は、図１６に示す治療装置６００における描画処理部６３１による処理によってシーン図の入力が行われた状態を示す図である。
図１９は、図１６に示す治療装置６００における自己感情選択部６３２による処理によって自己感情の入力が行われた状態を示す図である。
図２０は、図１６に示す治療装置６００における自己メッセージ入力部６３３による処理によって自己メッセージの入力が行われた状態を示す図である。
図２１は、図１６に示す治療装置６００における相手感情選択部６３４による処理によって相手感情の入力が行われた状態を示す図である。
図２２は、図１６に示す治療装置６００における相手メッセージ入力部６３５による処理によって相手メッセージの入力が行われた状態を示す図である。
図２３は、図１６に示す治療装置６００における第三者コメント入力部６３６による処理によって第三者コメントの入力が行われた状態を示す図である。
図２４は、図１６に示す治療装置６００において、第２巡目の情報入力が行われている状態をを示す図である。
図２５は、図１６に示す治療装置６００において、第３巡目の情報入力が行われている状態を示す図である。
図２６は、図１６に示す治療装置６００において、最後の総括情報入力が行われている状態を示す図である。
【発明を実施するための最良の形態】
【０００８】
以下、本発明を図示する実施形態に基づいて説明する。
＜＜＜  §１．精神疾患の治療用シートの基本構成  ＞＞＞
はじめに、本発明に係る精神疾患の治療用シートの基本構成を説明する。図１は、この治療用シート１００の基本的なエリア構成を示す平面図である。この治療用シート１００には、図１に太線の輪郭で囲って示すように、シート種別表示エリア１１０、自己情報記入エリア１２０、相手情報記入エリア１３０、図描画エリア１４０、第三者コメントエリア１５０という５つのエリアが設けられている。図には、説明の便宜上、各エリアの名称を、円弧状の括弧（ｐａｒｅｎｔｈｅｓｉｓ）内に記載した。以下、これら各エリアの構成および役割を順に説明する。
まず、シート１００の上部に配置されているシート種別表示エリア１１０は、当該シート１００が何番目のシートであるかを示すシート種別記号を表示するためのエリアである。この§１で述べる例は、単一の治療用シート１００についての実施例であり、１枚の治療用シート１００のみを用いて治療を行うことができる。ただ、治療効果をより高める上では、§４で述べる治療用具を用いるのが好ましい。§４で述べる例は、３種類の治療用シートを用いた実施例であるため、３枚の治療用シートを相互に区別する必要がある。シート種別表示エリア１１０は、シートを区別するためのシート種別記号を表示するために利用される。
シート１００の中央に配置されている図描画エリア１４０は、任意の図を描画するための空白部分を有するエリアである。後述するように、この図描画エリア１４０には、患者が、自己と相手についての特定のシーンを示す図を描くことになるので、そのようなシーン図を描くのに適したエリアになるようにする。
シート１００の左側に配置されている自己情報記入エリア１２０は、患者が自己の気持ちに関する情報を記入するためのエリアであり、この実施例の場合、図示のとおりＬ字型をしている。破線で分離して示すとおり、この自己情報記入エリア１２０には、自己の感情を記入するための自己感情記入欄１２１（上段）と、自己から相手に伝えたいメッセージを記入するための自己メッセージ記入欄１２２（下段）とが設けられている。図には、説明の便宜上、各欄の名称を、角型の括弧（ｂｒａｃｋｅｔ）内に記載した。
一方、シート１００の右側に配置されている相手情報記入エリア１３０は、患者が相手の気持ちに関する情報を記入するためのエリアであり、この実施例の場合、図示のとおりＬ字型をしている。破線で分離して示すとおり、この相手情報記入エリア１３０には、相手の感情を記入するための相手感情記入欄１３１（上段）と、相手から自己に伝えたいメッセージを記入するための相手メッセージ記入欄１３２（下段）とが設けられている。図には、説明の便宜上、各欄の名称を、角型の括弧（ｂｒａｃｋｅｔ）内に記載した。
そして、シート１００の下部に配置されている第三者コメントエリア１５０は、第三者のコメントを記入するためのエリアである。
図２は、本発明に係る精神疾患の治療用シート１００の具体的な実施例を示す平面図である。既に図１を参照して説明したとおり、この精神疾患の治療用シート１００には、シート種別表示エリア１１０、自己情報記入エリア１２０、相手情報、記入エリア１３０、図描画エリア１４０、第三者コメントエリア１５０という５つのエリアが設けられている。なお、図１では、説明の便宜上、これら５つのエリアの境界を太線で示したが、実際には、各エリアの境界は必ずしも太線にする必要はない。
この治療用シート１００は、自己と特定の相手との間の人間関係に関連した精神疾患の治療に用いるシートであり、所定の指示に基づいて患者自身にシートの所定箇所に所定事項を記入させることにより治療効果が得られる。したがって、治療用シート１００自体の材質は、記入作業に適したものであればどのようなものであってもかまわない。実用上は、一般的な紙のシートを用いるのが好ましい。
図１が、治療用シート１００上に設けられる各エリアの構成を示すための図であるのに対して、図２は、この治療用シート１００の具体例を示す平面図である。図示のとおり、この治療用シート１００の実体は、紙のシート上に罫線や文字を印刷した印刷物であるが、その印刷された内容および配置に特徴がある。このため、患者に対して、後述する方法によって適切な指示を与え、所定の記入作業を行わせることにより、自己と特定の相手との間の人間関係に関連した精神疾患に対して有意な治療効果が得られる。
図２に示す治療用シート１００の場合、シート種別表示エリア１１０の右端には、「ワークシート１」なるシート種別記号が表示されている。この記号は、当該シート１００が第１番目のシートである旨を示している。上述したとおり、この治療用シート１００を単独で用いた治療を行う際には、シート種別表示エリア１１０は不要であるが、§２で述べる例のように、複数枚の治療用シートを用いた治療を行う場合には、各シートについての記入順序を示すため、シート種別記号を表示するのが好ましい。なお、図示の例では、シート種別表示エリア１１０の左端に、「シーン名」を記入する欄が設けられている。この欄は、図描画エリア１４０に描くシーンの表題を記入するための欄であり、本発明を実施する上で必ずしも必要なものではない。
図描画エリア１４０は、矩形の枠で囲まれた部分であり、図示の例の場合、「シーンの図示」という表題、すなわち、当該エリアが、図を描くエリアであることを示す表題が記載されている。図描画エリア１４０の内部は、その大部分が図を描画するための空白部分になっており、後述するように、患者は、ここに自己と相手についての特定のシーンを示す図を描くことになる。シート種別表示エリア１１０の「シーン名」欄には、ここに描いたシーンの表題が記入される。
自己情報記入エリア１２０の上段に配置された自己感情記入欄１２１には、「あなた自身『        』」という表示がなされている。この表示は、自己情報記入エリア１２０が、自己の情報を記入するエリアであることを示す表題であり、患者は、「        」の部分に自分の名前を記入するよう指示される。その下には、感情を示す単語を複数列挙した感情リストが配置されている。図示の例の場合、３行３列に配置された各セルに、「喜び」，「寂しさ」，「心配」，「怒り」，「憎悪」，「失望」，「悲しみ」，「軽蔑」、「恐怖」という９種類の感情を示す単語が記載されている。患者は、図描画エリア１４０に描いたシーンを思い浮かべながら、その時に抱いた感情に丸印をつけるよう指示される。
また、自己情報記入エリア１２０の下段に配置された自己メッセージ記入欄１２２は、「相手への期待」と記載された記入欄と「期待の意図」と記載された記入欄によって構成されており、自己から相手に伝えたいメッセージを記入するために利用される。患者は、図描画エリア１４０に描いたシーンに関連して、相手への期待とその意図を記入するよう指示される。
一方、相手情報記入エリア１３０の上段に配置された相手感情記入欄１３１には、「相手『        』さん」という表示がなされている。この表示は、相手情報記入エリア１３０が、相手の情報を記入するエリアであることを示す表題であり、患者は、「        」の部分に相手の名前を記入するよう指示される。その下には、やはり３行３列に配置された各セルに９種類の感情を示す単語を記載した感情リストが配置されている。患者は、図描画エリア１４０に描いたシーンを思い浮かべながら、その時に相手が抱いたであろうと思われる感情に丸印をつけるよう指示される。
また、相手情報記入エリア１３０の下段に配置された相手メッセージ記入欄１３２は、「自己への期待」と記載された記入欄と「期待の意図」と記載された記入欄によって構成されており、相手が自己に伝えたいと推定されるメッセージを記入するために利用される。患者は、図描画エリア１４０に描いたシーンに関連して、相手が自己に対して抱いたであろうと思われる期待とその意図を記入するよう指示される。
第三者コメントエリア１５０には、「第三者『        』さんのコメント」という表示がなされている。この表示は、第三者コメントエリア１５０が、第三者のコメントを記入するエリアであることを示す表題であり、患者は、「        」の部分に、上記シーンに存在したと仮定する第三者の名前を記入し、更に、当該第三者が上記シーンを目撃していたと仮定した場合に、当該第三者が言及するであろうと思われるコメントを記入するよう指示される。
＜＜＜  §２．精神疾患の治療用シートの使用方法  ＞＞＞
続いて、図２に示す治療用シート１００の具体的な使用方法、すなわち、当該シートを用いた具体的な治療方法の手順を説明する。はじめに、当該治療用シート１００を患者に手渡し、指示にしたがって、各欄に順次記入を行うように指示する。具体的には、施術者は、次の（１）〜（９）の指示を順番に患者に与えるようにすればよい。なお、以下の（１）〜（９）の指示は、図２に示す治療用シート１００に丸数字１〜９が付された各欄についての記入指示に対応している。本願では、図において丸数字ｘ（ｘ＝１〜１０）が記されている部分を、便宜上、「第ｘ欄」と呼ぶことにする。図２に示す治療用シート１００の場合、「第１欄」〜「第９欄」が設けられている。
＊＊＊＊＊＊＊＊＊＊＊＊＊＊＊＊＊＊＊＊＊＊＊＊＊＊＊＊＊＊＊＊＊＊＊＊＊＊
（１）  いま、あなたが不快感をもっている相手を１人だけ特定し、あなたとその相手が登場するシーンを思い浮かべ、そのシーンにタイトルをつけて「第１欄」の「シーン名」の部分に記入して下さい。
（２）  上記シーンの様子を「第２欄」の「シーンの図示」の空白部分に簡単な図として描いて下さい。
（３）  「第３欄」の「あなた自身『        』」の部分に、あなた自身のお名前を記入してください。そして、その下のリストに列挙されている感情の中から、「第２欄」に描いたシーンにおいてあなたが抱いた感情に丸印をつけてください（複数可）。そして、その中で最も強い感情に二重丸をつけ、上記シーンにおいて経験した二重丸の感情を、心の中で再現してみてください。
（４）  「第４欄」の「相手への期待」の部分に、上記シーンにおいて、相手に期待すること（相手にはどうして欲しかったか）を記入して下さい。
（５）  「第５欄」の「期待の意図」の部分に、「第４欄」に記入した「相手への期待」の意図（なぜ、そのような期待をもったか、その期待が叶ったら何が得られるか）を記入して下さい。
（６）  「第６欄」の「相手『        』」の部分に、相手のお名前（ニックネームやイニシャルでも可）を記入してください。そして、その下のリストに列挙されている感情の中から、「第２欄」に描いたシーンにおいて相手が抱いていたと思われる感情に丸印をつけてください（複数可）。そして、その中で最も強い感情に二重丸をつけ、上記シーンにおいて相手が経験したと思われる二重丸の感情を、あなたが相手の立場に立って心の中で再現してみてください。
（７）  「第７欄」の「自己への期待」の部分に、上記シーンにおいて、相手があなたに期待すること（相手は、あなたにどうして欲しかったか）を記入して下さい。
（８）  「第８欄」の「期待の意図」の部分に、「第７欄」に記入した「自己への期待」の意図（相手は、なぜ、そのような期待をもったか、その期待が叶ったら、相手には何が得られるか）を記入して下さい。
（９）  「第２欄」に描いたシーンに全く利害関係のない第三者が居たと仮定して、この第三者を「第２欄」の絵に追加して下さい。そして、「第９欄」の「第三者『        』さんのコメント」の部分に、上記第三者のお名前を記入して、この第三者が、このシーンを客観的に眺めていたら、どんなコメントをするかを想定して記入して下さい。また、この第三者が、「第４欄」，「第７欄」の期待や、「第５欄」，「第８欄」の意図を認識していたとしたら、どのようなコメントをするかも想定して記入して下さい。
＊＊＊＊＊＊＊＊＊＊＊＊＊＊＊＊＊＊＊＊＊＊＊＊＊＊＊＊＊＊＊＊＊＊＊＊＊＊
もちろん、上記（１）〜（９）の指示文言は、ほんの一例を示すものであり、同趣旨の指示であれば、どのような文言による指示でもかまわない。また、指示は、施術者が患者に対して口頭で伝えるようにしてもよいし、別に手渡す作業説明書に記載しておくようにしてもよい。後者の場合、患者は、作業説明書を読みながら、治療用シート１００への記入作業を進めてゆくことになる。
なお、図２に示す実施例では、感情リストとして９種類の感情を示す単語が記載されたリストを示したが、実用上は、より多数の感情を掲載しておくのが好ましい。たとえば、後述する図１２〜図１４に示す実施例では、３２種類の感情を示す単語を掲載した感情リストが用いられている。また、必要に応じて、患者には、リストに掲載されていない感情を手書きで追加してもらうようにしてもかまわない。
＜＜＜  §３．精神疾患の治療用シートの使用効果  ＞＞＞
本発明に係る治療方法の特徴は、治療用シート１００への記入を、すべて患者自身が行う点である。すなわち、相手情報記入エリア１３０には、相手に関する情報が記入されることになるが、実際には、相手が記入するわけではなく、あくまでも患者自身が、相手の立場に立って、相手の気持ちを記入することになる。同様に、第三者コメントエリア１５０には、第三者のコメントが記入されることになるが、実際には、第三者が記入するわけではなく、あくまでも患者自身が、第三者の立場に立って、第三者としての客観的なコメントを記入することになる。
そもそも、人間関係に関連した精神疾患は、相手の立場に立った思考や、客観的な第三者の立場に立った思考を行い、相手に対する「受容」の気持ちを高めることにより、改善されるものと考えられている。本発明に係る治療用シートは、このような観点に基づく治療を行う上で、非常に有益な道具として機能する。
本発明に係る治療用シートの第１の特徴は、図描画エリア１４０を設けた点にある。一般に、対人関係についての悩みは、自己と相手に共通する特定の経験に根ざしていることが多く、患者の脳裏には、当該経験が不快なシーンとして刻み込まれている。別言すれば、このような不快なシーンに対する不快感を払拭することができれば、精神疾患の症状に対する根本的な改善が期待できる。本発明に係る治療用シートを利用すれば、図描画エリア１４０に不快なシーンを図として描かせることにより、当該シーン図に描かれている事実を、自分の立場、相手の立場、そして第三者の立場から再検証するきっかけを作ることができる。
本発明に係る治療用シートの第２の特徴は、自己の気持ちに関する情報を記入するための自己情報記入エリア１２０と、相手の気持ちに関する情報を記入するための相手情報記入エリア１３０とを、図描画エリア１４０と同じシート上に設けた点にある。患者は、図描画エリア１４０に描かれた図を見ながら、特定のシーンを頭に思い浮かべ、そのときの自己の気持ちに関する情報を自己情報記入エリア１２０に記入し、そのときの相手の気持ちに関する情報を想像して、相手情報記入エリア１３０に記入することができる。
具体的には、当該シーンにおいて自己が抱いた感情を自己感情記入欄１２１に記入し、相手が抱いたと想像される感情を相手感情記入欄１３１に記入することができる。しかも、これらの感情の記入は、感情を示す単語を複数列挙した感情リストからの選択という簡単な作業によって行うことができる。特に、図２に示す実施例のように、自己感情記入欄１２１および相手感情記入欄１３１に、罫線で囲まれた複数のセルにそれぞれ感情を示す異なる単語が記載された同一の感情リストを配置するようにすれば、患者の選択作業は、丸印の付与という簡単な作業で済む。
また、図２に示す実施例のように、自己から相手に伝えたいメッセージを記入するための自己メッセージ記入欄１２２を設け、相手への期待やその意図を記入させるようにし、相手から自己に伝えたいメッセージを記入するための相手メッセージ記入欄１３２を設け、相手の自己に対する期待やその意図を記入させるようにすれば、自己や相手の感情だけでなく、期待やその意図についても検証することができる。
このように、本発明に係る治療用シートを用いれば、精神疾患の症状に対する根本原因となる特定のシーンに関して、自己の立場から自己の気持ちを再考した後、相手の立場から相手の気持ちを推考することができ、相手に対する「受容」の気持ちを高めることが可能になる。
そして、本発明に係る治療用シートの第３の特徴は、第三者のコメントを記入するための第三者コメントエリア１５０を、図描画エリア１４０と同じシート上に設けた点にある。患者は、図描画エリア１４０に描かれた図を見ながら、特定のシーンを頭に思い浮かべ、当該シーンを、利害関係のない第三者の客観的な目を通して見た場合に、第三者であれば、どのようなコメントを行うかを想像して、第三者のコメントを第三者コメントエリア１５０に記入することができる。このような客観的なコメントに接することにより、相手に対する「受容」の気持ちを更に高めることが可能になる。
なお、図２に示す実施例の場合、上記３つの特徴をより効果的に機能させるための工夫が施されている。すなわち、図１に示すように、シート１００を縦方向に貫く中心線Ｃを定義したときに、自己情報記入エリア１２０は中心線Ｃよりも左側に配置され、相手情報記入エリア１３０は中心線Ｃよりも右側に配置されている。一方、図描画エリア１４０および第三者コメントエリア１５０は中心線Ｃを跨いで、中心線Ｃが中心となるように配置されている。その結果、図１に示す各エリアの構成および配置は、中心線Ｃに関して線対称になっている。
このような配置は、自己と相手との関係を客観的に見る上で重要である。すなわち、中心線Ｃを挟んで、左側に自己情報記入エリア１２０が配置され、右側に相手情報記入エリア１３０が配置されており、両者は線対称のエリアになっているため、患者には、自己と相手とが対等な関係にあることを暗示することができる。すなわち、患者は、図描画エリア１４０に描かれたシーンにおいて、自己が特定の感情を抱き、自己が相手に対して特定の期待を抱くのと全く同様に、相手も特定の感情を抱き、相手が自己に対して特定の期待を抱くことを、直感的に把握できる。
また、図描画エリア１４０が左右に偏在しない中央に配置されていることにより、患者は、そこに描かれたシーンが、自己にとっても相手にとっても対等な経験であることを直感的に把握できる。同様に、第三者コメントエリア１５０が左右に偏在しない中央に配置されていることにより、患者は、そこに記入されたコメントが、自己にとっても相手にとっても対等なコメントであることを直感的に把握できる
なお、この治療用シート１００に対する記入作業を行う場合、各エリアに対する記入順序は非常に重要である。すなわち、最大限の治療効果を得るためには、上述したとおり、ます、図描画エリア１４０にシーンの図を描かせ、続いて、シーン図を参照させながら自己情報記入エリア１２０に自己感情および期待等を記入させ、その後で、シーン図を参照させながら相手情報記入エリア１３０に相手感情および期待等を記入させ、最後に、シーン図を参照させながら第三者コメントエリアに第三者コメントを記入させる、という順序で、各エリアへの記入が行われるようにするのが好ましい。
そこで、図２に示す治療用シート１００では、「第１欄：シート種別表示エリア」，「第２欄：図描画エリア」，「第３欄：自己感情記入欄」，「第４欄：自己メッセージ記入欄（相手への期待）」，「第５欄：自己メッセージ記入欄（期待の意図）」，「第６欄：相手感情記入欄」，「第７欄：相手メッセージ記入欄（自己への期待）」，「第８欄：相手メッセージ記入欄（期待の意図）」，「第９欄：第三者コメントエリア」の順序で記入を行うことを示すための記入順序符号（図の例の場合は、丸数字１〜９）を、各エリアもしくは各欄に記載するようにしている。患者は、この丸数字１〜９の順序で記入を行えばよい。
＜＜＜  §４．精神疾患の治療用具の基本構成  ＞＞＞
これまで、§１〜§３において、本発明に係る精神疾患の治療用シート１００についての説明を行ってきた。この治療用シート１００は、単独で使用してもある程度の治療効果が得られるものであるが、実用上は、以下に説明するように、３組の治療用シートを組み合わせて用いるのが好ましい。本願では、この３組の治療用シートを組み合わせたものを「治療用具」と呼ぶことにする。
図３は、図２に示す治療用シート１００を含む精神疾患の治療用具の構成を示す図である。図示のとおり、ここに示す治療用具は、第１の治療用シート１００，第２の治療用シート２００，第３の治療用シート３００，総括用シート４００という４枚のシートと、作業説明書５００によって構成されている。
第１の治療用シート１００は、§１で述べた治療用シート１００（図２参照）と全く同じシートである。第２の治療用シート２００および第３の治療用シート３００は、治療用シート１００の一部の文言を若干変更したシートであり、総括用シート４００は、記入作業の最後に、まとめとして記入するシートである。また、作業説明書５００は、これら各シートの各欄への記入作業を行う際の指示を記載した小冊子である。以下、これら各構成要素について、個別の説明を行う。
図４は、図３に示す精神疾患の治療用具の構成要素となる第１の治療用シート１００の平面図である。上述したとおり、この図４に示す第１の治療用シート１００は、図２に示す治療用シート１００と全く同じシートであり、ここでは、各欄についての詳しい説明は省略する。
図示のとおり、シート種別表示エリア１１０（丸数字１が記載された「第１欄」）の右端には、「ワークシート１」なる記号が表示されているが、これは４枚のシートを区別するためのシート種別記号であり、この第１の治療用シート１００が、第１番目の記入対象となるシートであることを示すものである。なお、図２では、説明の便宜上、治療用シート１００の各エリアの境界が太線で示されているが。実際には、図４に示すように、各エリアの境界や各欄の境界線は、すべて同じ線でかまわない。
図５は、図３に示す精神疾患の治療用具の構成要素となる第２の治療用シート２００の平面図である。図４に示す第１の治療用シート１００と同様に、図５に示す第２の治療用シート２００は、シート種別表示エリア２１０、自己情報記入エリア２２０、相手情報記入エリア２３０、図描画エリア２４０、第三者コメントエリア２５０の５つのエリアによって構成されており、自己情報記入エリア２２０には、自己感情記入欄２２１と自己メッセージ記入欄２２２とが設けられ、相手情報記入エリア２３０には、相手感情記入欄２３１と相手メッセージ記入欄２３２とが設けられている（図１のエリア構成参照）。
この図５に示す第２の治療用シート２００と図４に示す第１の治療用シート１００との相違点は、次のとおりである。まず、シート種別表示エリア２１０の右端には、「ワークシート２」なる記号が表示されている。これは４枚のシートを区別するためのシート種別記号であり、この第２の治療用シート２００が、第２番目の記入対象となるシートであることを示すものである。また、シート種別表示エリア２１０の左側には、「前頁の感情・期待・意図を相互に伝えた想定で記入」なる説明文が記載されている。そして、図描画エリア２４０に、「相互に伝えた後のシーン図示」なる説明文が記載されている。更に、第三者コメントエリア２５０に、「両者が感情・期待・意図を再度伝えた後の第三者『        』さんのコメント」なる説明文が記載されている。以上の４点を除いて、図５に示す第２の治療用シート２００の内容は、図４に示す第１の治療用シート１００の内容と同じである。
要するに、第２の治療用シート２００には、第１の治療用シート１００の自己情報記入エリア１２０（図４において丸数字３，４，５が記載された「第３，４，５欄」）に記入された内容が相手に伝えられ、第１の治療用シート１００の相手情報記入エリア１３０（図４において丸数字６，７，８が記載された「第６，７，８欄」）に記入された内容が自己に伝えられたという想定で、当該第２の治療用シート２００への記入を行う旨の指示が記載されていることになる。
図６は、図３に示す精神疾患の治療用具の構成要素となる第３の治療用シート３００の平面図である。図４に示す第１の治療用シート１００と同様に、図６に示す第３の治療用シート３００は、シート種別表示エリア３１０、自己情報記入エリア３２０、相手情報記入エリア３３０、図描画エリア３４０、第三者コメントエリア３５０の５つのエリアによって構成されており、自己情報記入エリア３２０には、自己感情記入欄３２１と自己メッセージ記入欄３２２とが設けられ、相手情報記入エリア３３０には、相手感情記入欄３３１と相手メッセージ記入欄３３２とが設けられている（図１のエリア構成参照）。また、この第３の治療用シート３００に固有の特徴として、第三者コメントエリア３５０には、特定人物欄３５１と一般第三者欄３５２とが設けられている。
この図６に示す第３の治療用シート３００の構成は、次のとおりである。まず、シート種別表示エリア３１０の右端には、「ワークシート３」なる記号が表示されている。これは４枚のシートを区別するためのシート種別記号であり、この第３の治療用シート３００が、第３番目の記入対象となるシートであることを示すものである。
この第３の治療用シート３００の大きな特徴は、各エリアや各欄への記入順序が変更されている点である。このため、各エリアや各欄に丸数字として記載された記入順序符号が大幅に変更されている。具体的には、図４に示す第１の治療用シート１００および図５に示す第２の治療用シート２００の場合、図描画エリア（丸数字２）、自己感情記入欄（丸数字３）、自己メッセージ記入欄（丸数字４，５）、相手感情記入欄（丸数字６）、相手メッセージ記入欄（丸数字７，８）、第三者コメントエリア（丸数字９）の順序で記入を行うことを示すための記入順序符号（上記各丸数字）が各エリアもしくは各欄に記載されている。
これに対して、図６に示す第３の治療用シート３００の場合、図描画エリア（丸数字１）、特定人物欄（丸数字２，３）、自己感情記入欄（丸数字４）、自己メッセージ記入欄（丸数字５，６）、相手感情記入欄（丸数字７）、相手メッセージ記入欄（丸数字８，９）、一般第三者欄（丸数字１０）の順序で記入を行うことを示すための記入順序符号（上記各丸数字）が各エリアもしくは各欄に記載されている。以下、各部分を上記記入順（丸数字の順）に説明する。
はじめに、シート種別表示エリア３１０の左側には、「丸数字１の絵へ」との説明文が記載されており、「丸数字１」が記載された図描画エリア３４０には、「前頁の感情・期待・意図を相互に伝えた後のシーンを想像して描く」なる説明文が記載されている。そして、特定人物欄３５１には、「丸数字２」に続く「特定人物『        』の感情」なる説明文と「丸数字３」に続く「特定人物のアドバイス」なる説明文とが記載されている。
また、自己感情記入欄３２１には、「丸数字４」に続いて「アドバイス後のあなたの感情」なる説明文が記載されており、その下には、９種類の感情を選択するための感情リストが配置されている。自己メッセージ記入欄３２２には、「丸数字５」に続く「頭の中の声」なる説明文と「丸数字６」に続く「相手に伝えたいこと」なる説明文が記載されている。一方、相手感情記入欄３３１には、「丸数字７」に続いて「あなたの発言を聴いた後の相手の感情」なる説明文が記載されており、その下には、９種類の感情を選択するための感情リストが配置されている。相手メッセージ記入欄３３２には、「丸数字８」に続く「頭の中の声」なる説明文と「丸数字９」に続く「相手に伝えたいこと」なる説明文が記載されている。
最後に、一般第三者欄３５０には、「丸数字１０」に続いて、「第三者『        』さんのコメント」なる説明文が記載されている。
要するに、第３の治療用シート３００には、第２の治療用シート２００の自己情報記入エリア２２０（図５において丸数字３，４，５が記載された「第３，４，５欄」）に記入された内容が相手に伝えられ、第２の治療用シート２００の相手情報記入エリア２３０（図５において丸数字６，７，８が記載された「第６，７，８欄」）に記入された内容が自己に伝えられたという想定で、当該第３の治療用シート３００への記入を行う旨の指示が記載されていることになる。
図７は、図３に示す精神疾患の治療用具の構成要素となる総括用シート４００の平面図である。図示のとおり、この総括用シート４００には、シート種別表示エリア４１０と総括質問エリア４９０が設けられている。シート種別表示エリア４１０の右端には、「ワークシート４」なる記号が表示されている。これは４枚のシートを区別するためのシート種別記号であり、この総括用シート４００が、第４番目の記入対象となるシートであることを示すものである。
一方、総括質問エリア４９０には、第１〜第３の治療用シート１００，２００，３００の記入内容の変遷を振り返ったときの感想を記入する旨の指示が記載されている。図示の例の場合、４つの質問が列挙されているが、その質問の前に「ワークシート１〜３の記載内容を振り返って記入して下さい。」との指示が記載されており、各質問に対する回答は、いずれも、第１〜第３の治療用シートの記入内容の変遷を振り返ったときの感想を求める内容になっている。
図３に示す精神疾患の治療用具の構成要素となる作業説明書５００は、上述した第１〜第３の治療用シート１００，２００，３００および総括用シート４００に対する記入作業を行う上での指示を記載したものである。この作業説明書５００に記載すべき具体的な指示内容については、§５で説明する。なお、このような指示を施術者が患者に対して口頭で伝える場合は、作業説明書５００は不要である。ただ、教室などに集めた多数の患者に対して、同時進行で記入作業を行わせる場合には、個々の患者ごとに、記入作業に要する時間が異なるため、口頭による指示を与える形式ではなく、作業説明書５００を配布して、各自が作業説明書５００を読みながら作業を進める形式をとるのが好ましい。
なお、本発明に係る精神疾患の治療用具は、上述した第１〜第３の治療用シート１００，２００，３００のみによって構成し、総括用シート４００を省略する構成にしてもかまわない。ただ、実用上は、最後のまとめを記入させるために、総括用シート４００を用意しておくのが好ましい。
＜＜＜  §５．精神疾患の治療用具の使用方法および効果  ＞＞＞
続いて、図３に示す治療用具の具体的な使用方法および効果、すなわち、当該シートを用いた具体的な治療方法の手順とその効果を説明する。はじめに、当該治療用具（第１〜第３の治療用シート１００，２００，３００および総括用シート４００、ならびに、作業説明書５００）を患者に手渡し、作業説明書５００に記載された指示にしたがって、各シートの各欄に順次記入を行うように指示する。もちろん、作業説明書５００を用いる代わりに、施術者が患者に対して口頭で指示を伝えるようにしてもよい。以下、患者に与える具体的な指示の内容を要点だけ説明する。
まず、全体的な作業手順として、第１の治療用シート１００、第２の治療用シート２００、第３の治療用シート３００、総括用シート４００の順番に記入を行い、必要に応じて、記入済みのシートの内容を適宜参照して振り返る旨の指示を与える。
続いて、図４に示す第１の治療用シート１００の丸数字１〜９が付された「第１欄」〜「第９欄」に、それぞれ必要事項を記入するよう指示する。具体的な指示内容は、既に§２で説明したとおりである。図８は、図４に示す第１の治療用シート１００に対して患者が記入作業を完了した状態を示す平面図である。
図示の例の場合、「第１欄」にシーン名として「業務報告」なる名称が記入されており、「第２欄」に患者が上司に業務報告をしている場面の絵が記入されている。これは、患者が不快感をもっている相手として上司を選び、両者が登場するシーンとして、「業務報告」のシーンを思い浮かべたことを示している。「第３欄」には患者自身の名前「Ｍｒ．Ｘ」が記入され、感情リストの欄には「怒り」と「憎悪」に丸印がつけられており、「怒り」は二重丸になっている。そして、「第４欄」には「相手への期待」として「正しい評価を」との記入がなされ、「第５欄」には「期待の意図」として「業務環境の改善」との記入がなされている。これは、「第２欄」に描いたシーンに関して、患者自身が現在抱いている感情と、相手に対して伝えたいメッセージを表現したものになる。
一方、「第６欄」には相手（患者の上司）の名前「Ｍｒ．Ｙ」が記入され、感情リストの欄には「失望」と「軽蔑」に丸印がつけられており、「失望」は二重丸になっている。そして、「第７欄」には「自己への期待」として「営業努力」との記入がなされ、「第８欄」には「期待の意図」として「実績改善」との記入がなされている。これは、「第２欄」に描いたシーンに関して、相手が抱いているであろうと想像される感情と、相手が自分に対して伝えたいと考えているであろうメッセージを表現したものになる。
もちろん、この「第６欄」，「第７欄」，「第８欄」に記入した内容は、相手（Ｍｒ．Ｙ）が実際に抱いている本当の気持ちを示しているものではなく、あくまでも、患者自身（Ｍｒ．Ｘ）による想像における相手の気持ちになる。本発明に係る治療法の根源は、患者自身に相手の気持ちを思いやる行動を誘発させる点にあり、「第２欄」に記入したシーンを思い浮かべながら、「第３欄」，「第４欄」，「第５欄」に自己の気持ちを記入させた上で、今度は、相手の立場に立って、やはり「第２欄」に記入したシーンを思い浮かべ、相手が抱く気持ちを想像しながら、「第６欄」，「第７欄」，「第８欄」に記入させることは非常に重要である。
特に、ここに示す実施例の場合、中央に配置された図描画エリア１４０に描かれた図を見ながら、左側の自己情報記入エリアに、自己の立場から見た自己の気持ちを記入し、続いて、右側の相手情報記入エリアに、相手の立場から見た相手の気持ちを想像して記入する作業を行うことになる。しかも、左側の自己情報記入エリアと右側の相手情報記入エリアとは左右対称になっているため、自己と相手とを対等な人間として捉え、自分サイドの見方と相手サイドの見方とを、できるだけ中立的な立場に立って客観的に把握するきっかけを与える効果が得られる。
そして、最後の「第９欄」には、第三者の名前「Ｍｒ．Ｚ」が記入され、当該第三者のコメントとして「相互に相手を理解する努力を」との記入がなされている。ここで、第三者「Ｍｒ．Ｚ」は、「第２欄」に描いたシーンに全く利害関係のない者として、患者自身が想定した人物であり、たとえば、患者自身の会社の同僚などを「Ｍｒ．Ｚ」として設定することができる。そして、「第９欄」には、もし当該第三者が、このシーンに居合わせたと仮定した場合に、どのようなコメントをするかが記入される。
もちろん、この「第９欄」に記入した内容は、当該第三者（Ｍｒ．Ｚ）による実際のコメントではなく、あくまでも、患者自身（Ｍｒ．Ｘ）による想像における第三者のコメントになるが、当該コメントを記入させることによって、患者は、第三者の視点に立って、「第２欄」に描いたシーンを評価することができる。通常、心因性の精神疾患は、患者が自分自身の視野で、物事を主観的に観察しているために生じることが多い。「第９欄」への記入作業は、患者に対して、第三者の視野で、物事を客観的に観察するきっかけを与えることができ、心因性の精神疾患の改善には非常に効果的である。
特に、ここに示す実施例の場合、「第９欄」の第三者コメントエリアは、「第２欄」の図描画エリアと同様に左右に跨った位置に配置されているため、患者は、描かれたシーンも、「第９欄」に記入された第三者コメントも、自己および相手に対して対等なものとして把握することができ、第三者コメントを両者に対等なコメントとして受け入れることができる。
こうして、第１の治療用シート１００への記入作業が完了すると、続いて、図５に示す第２の治療用シート２００への記入を行うよう指示がなされる。§４で説明したとおり、第２の治療用シート２００の各欄の構成は、実質的には第１の治療用シート１００の各欄の構成と同じである。したがって、各欄への記入指示も、基本的には、第１の治療用シート１００への記入指示と同じでよい。
ただ、第２の治療用シート２００には、第１の治療用シート１００の自己情報記入エリア１２０に記入された内容が相手に伝えられるとともに、第１の治療用シート１００の相手情報記入エリア１３０に記入された内容が自己に伝えられたという想定で、当該第２の治療用シート２００への記入を行う旨の指示が記載されている。具体的には、図５に示す第２の治療用シート２００の場合、シート種別表示エリア２１０の左側に「前頁の感情・期待・意図を相互に伝えた想定で記入」なる説明文が記載されている。また、図描画エリア２４０には「相互に伝えた後のシーン図示」なる説明文が記載されており、第三者コメントエリア２５０には「両者が感情・期待・意図を再度伝えた後の第三者『        』さんのコメント」なる説明文が記載されている
したがって、この第２の治療用シート２００への記入を行うにあたり、口頭もしくは作業説明書５００によって患者に伝達する指示には、記入要領は、第１の治療用シート１００の記入要領と同じであるが、第１の治療用シート１００の自己情報記入エリア１２０に記入した内容を相手に伝え、逆に、相手情報記入エリア１３０に記入された内容が自己に伝えられたという前提で、自己および相手に起こるべき心境の変化を考慮した上で、第２の治療用シート２００への記入を行う旨を明確にしておくようにする。
図９は、図５に示す第２の治療用シート２００に対して患者が記入作業を完了した状態を示す平面図である。上述したとおり、この第２の治療用シート２００については、図８に示す記入済の第１の治療用シート１００における「第３欄」，「第４欄」，「第５欄」の内容を相手に伝え、更に、図８に示す記入済の第１の治療用シート１００における「第６欄」，「第７欄」，「第８欄」の内容が相手から自己に伝えられたと想定した上で、各欄へ記入が行われることになる。通常、両者で実際に感情、期待、意図を言い合うと、心象の変化が生じる。ここでは、実際に言い合いが行われるわけではないが、患者の内心において、言い合った後の状態が想像されることになる。したがって、患者ごとに個人差はあるものの、通常は、第１の治療用シート１００の記入内容と第２の治療用シート２００の記入内容との間に、何らかの変化が生じることになる。
図９に示す実施例の場合、図描画エリアに描かれたシーンの図には若干の変化が見られる。また、自己情報記入エリアには、感情として「失望」、相手への期待として「時間的猶予」、期待の意図として「営業結果に期待あり」との記入がなされ、相手情報記入エリアには、感情として「心配」、自己への期待として「方針改善」、期待の意図として「時間節約」との記入がなされており、やはり若干の変化が見られる。更に、第三者コメントエリアには「歩み寄り」との記入がなされており、やはり若干の変化が見られる。これは、患者の内心に何らかの変化が生じたためであり、精神疾患が改善している兆候を示すものである。
こうして、第２の治療用シート２００への記入作業が完了すると、続いて、図６に示す第３の治療用シート３００への記入を行うよう指示がなされる。§４で説明したとおり、第３の治療用シート３００の各欄の構成は、第１の治療用シート１００や第２の治療用シート２００の各欄の構成と比べて、大きな相違はないが、新たに特定人物欄３５１が設けられたり、各欄の記入順序が異なったりする点が相違する。
また、第３の治療用シート３００には、第２の治療用シート２００の自己情報記入エリア２２０に記入された内容が相手に伝えられるとともに、第２の治療用シート２００の相手情報記入エリア２３０に記入された内容が自己に伝えられたという想定で、当該第３の治療用シート３００への記入を行う旨の指示が記載されている。具体的には、図６に示す第３の治療用シート３００の場合、図描画エリア３４０に「前頁の感情・期待・意図を相互に伝えた後のシーンを想像して描く」なる説明文が記載されている。
したがって、この第３の治療用シート３００への記入を行うにあたり、口頭もしくは作業説明書５００によって患者に伝達する指示には、記入要領は、基本的には、これまでの各治療用シート１００，２００の記入要領と同じであるが、第２の治療用シート２００の自己情報記入エリア２２０に記入した内容を相手に伝え、逆に、相手情報記入エリア２３０に記入された内容が自己に伝えられたという前提で、自己および相手に起こるべき心境の変化を考慮した上で、第３の治療用シート３００への記入を行う旨を明確にしておくようにする。
図１０は、図６に示す第３の治療用シート３００に対して患者が記入作業を完了した状態を示す平面図である。上述したとおり、この第３の治療用シート３００については、図９に示す記入済の第２の治療用シート２００における「第３欄」，「第４欄」，「第５欄」の内容を相手に伝え、更に、図９に示す記入済の第２の治療用シート２００における「第６欄」，「第７欄」，「第８欄」の内容が相手から自己に伝えられたと想定した上で、各欄へ記入が行われることになる。上述したとおり、両者での言い合いは、それが仮想的なものであっても心象の変化を誘発するため、通常は、第２の治療用シート２００の記入内容と第３の治療用シート３００の記入内容との間には、何らかの変化が生じる。しかも、第３の治療用シート３００の場合、特定人物欄にアドバイスの記入も行われているため、心象の変化をより誘発しやすい。
図１０に示す実施例の場合、「第１欄」に描かれたシーンの図には更に変化が見られる。また、「第２欄」には、特定人物として「Ｍｒ．Ｓ」が記入され、この特定人物の感情として「満足」との記入がなされている。また、「第３欄」には、この特定人物のアドバイスとして「密接なコミュニケーション」との記入がなされている。
ここで、「特定人物」はこれまでの一般第三者「Ｍｒ．Ｚ」と同様に、自己および相手以外の第三者であることに違いはないが、これまでの一般第三者「Ｍｒ．Ｚ」が、「第１欄」に描かれたシーンに居たであろうと想定される人物であるのに対して、第３の治療用シート３００で初めて登場する「特定人物」は、このシーンの場にいてくれると良さそうに思える「愛にあふれた人物」という設定である。
したがって、第３の治療用シート３００の「第２欄」および「第３欄」の記入にあたっての指示としては、たとえば、次のような文言を用いるのが好ましい。「これまでの第三者とは別に、このシーンの場にいてくれると良さそうに思える『愛にあふれた人物』を想定してみて下さい。あなたが実際に会った人である必要はなく、また、実在の人物である必要もありません。歴史上の偉人、ドラマの主人公、漫画等の架空のキャラクターでもかまいません。そのような特定人物を想定したら、その特定人物の名前を記入し、その特定人物が図示したシーンを見たときの感情と、その特定人物からのあなたへのアドバイスを想像して記入してみて下さい。」
続く「第４欄」には、「アドバイス後のあなたの感情」との説明文が記載されており、上記アドバイスを聴いた後の自己の気持ちを記入するよう指示されている。図示の例の場合、「第４欄」には感情として「心配」と「寂しさ」に丸印がつけられており、「第５欄」には頭の中の声として「誠実な対応」との記入がなされ、「第６欄」には相手に伝えたいこととして「一層の努力」との記入がなされている。ここで、「第５欄」の「頭の中の声」に記入してもらう事項は、これまでのシートにおける「相手への期待」に記入してもらう事項とほぼ同じであり、「第６欄」の「相手に伝えたいこと」に記入してもらう事項は、これまでのシートにおける「期待の意図」に記入してもらう事項とほぼ同じである。ただ、特定人物のアドバイスを聴いた後の気持ちとして、若干、表現を変えている。
したがって、第３の治療用シート３００の「第５欄」および「第６欄」の記入にあたっての指示としては、たとえば、次のような文言を用いるのが好ましい。「二重丸をつけた感情に十分に浸ってから、特定人物からのアドバイスを受け止め、そのときに頭に浮かんだ声を記入して下さい。また、このアドバイスを受け止めた上で、相手に伝えたいことを記入して下さい。」
一方「第７欄」には、「あなたの発言を聴いた後の相手の感情」との説明文が記載されており、「第４欄」，「第５欄」，「第６欄」の内容を相手に伝えた後の相手の気持ちを想像して記入するよう指示されている。図示の例の場合、「第７欄」には感情として「喜び」に二重丸がつけられており、「第８欄」には頭の中の声として「信頼回復」との記入がなされ、「第９欄」には相手に伝えたいこととして「適切な評価」との記入がなされている。ここで、「第８欄」の「頭の中の声」に記入してもらう事項は、これまでのシートにおける「自己への期待」に記入してもらう事項とほぼ同じであり、「第９欄」の「相手（ここでは「相手にとっての相手」、すなわち、患者自身を指す）に伝えたいこと」に記入してもらう事項は、これまでのシートにおける「期待の意図」に記入してもらう事項とほぼ同じである。ただ、「第５欄」，「第６欄」に合わせて、同じ表現を用いている。
したがって、第３の治療用シート３００の「第８欄」および「第９欄」の記入にあたっての指示としては、たとえば、次のような文言を用いるのが好ましい。「相手が、二重丸をつけた感情に十分に浸り、更に、第４欄，第５欄，第６欄に記入した事項をあなたから聴いたときに、相手の頭に浮かぶであろう声を想像して記入して下さい。また、相手があなたに伝えたいことを記入して下さい。」
最後の「第１０欄」には、第三者「Ｍｒ．Ｚ」さんのコメントとして、「今後も協力」との記入がなされている。このように、ここに示す実施例の場合、図８に示す第１の治療用シート１００、図９に示す第２の治療用シート２００、図１０に示す第３の治療用シート３００の記入内容は、少しずつ変化してきている。前述したとおり、これは、患者の内心に何らかの変化が生じたためであり、精神疾患が改善している兆候を示すものである。
こうして、第３の治療用シート３００への記入作業が完了すると、最後に、図７に示す総括用シート４００への記入を行うよう指示がなされる。§４で説明したとおり、この総括用シート４００の総括質問エリア４９０には、第１〜第３の治療用シート１００，２００，３００の記入内容の変遷を振り返ったときの感想を記入する旨の指示が記載されている。
図示の実施例の場合、「第１欄」の「ワークシート１〜３における自己・相手の感情の変遷を見返した時、何を感じますか？」との設問に対して、「立場の違う人間だから仕方がない」との回答が記入されており、「第２欄」の「相手に対して、何を感じますか？相手への感情はどのように変化しましたか？」との設問に対して、「相手への怒りの気持ちはなくなった。」との回答が記入されている。また、「第３欄」の「特定人物のアドバイスに対し、どのように感じますか？」との設問に対して、「よりコミュニケーションを深めよう」との回答が記入されており、「第４欄」の「相手を受容することについて、どのように感じますか？」との設問に対して、「今後も、仕事を続けられそう」との回答が記入されている。
このように、本発明に係る精神疾患の治療用具によれば、３組の治療用シートに順次記入する操作を行わせることができ、しかも、これら３組の治療用シートには、時系列的な順番が定められている。そして、前のシートに記入した内容が相手方に伝えられたものとして、次のシートへの記入が促されるため、相手に対する感情に変化を誘発させる効果が得られる。このように、本発明に係る精神疾患の治療用具は、患者の内心において、相手に対する気持ちの変化を生じさせることができ、精神疾患の改善を図ることができる。また、第４のシートとして総括用シート４００を用意して記入させれば、患者自身に３組の治療用シートに記入した内容の変遷を振り返らせることができ、より効果的な治療が可能になる。
＜＜＜  §６．精神疾患の治療用具のより具体的な実施例  ＞＞＞
§４では、図４〜図７を参照して、本発明に係る精神疾患の治療用具を構成する３枚の治療用シート１００，２００，３００および総括用シート４００の基本構成を説明した。
ここでは、これらの各シートについて、より具体的な実施例を図１２〜図１５として示しておく。図１２は、図４に示す第１の治療用シート１００のより具体的な実施例の一例を示す平面図であり、図１３は、図５に示す第２の治療用シート２００のより具体的な実施例の一例を示す平面図であり、図１４は、図６に示す第３の治療用シート３００のより具体的な実施例の一例を示す平面図である。また、図１５は、図７に示す総括用シート４００のより具体的な実施例の一例を示す平面図である。
これら４枚の具体的な実施例は、本願発明者が特定の被験者に対して行った試験に実際に利用したシートであり、試験の結果、多数の被験者について、悩みの改善などの治癒効果が見られた。
図１２〜図１５に示す各シートの基本構成は、図４〜図７に示す各シートの基本構成と同様であり、対応する記入欄には同一の丸数字を付してある。したがって、図１２〜図１５に示す各シートの具体的な構成の説明や使用方法についての説明は、ここでは省略する。
＜＜＜  §７．精神疾患の治療装置の基本構成および動作  ＞＞＞
これまで、本発明の基本思想を、シートという物理的な印刷物として実現する実施例を述べてきた。ここでは、本発明の基本思想を、コンピュータを利用して実現する実施例を述べる。
図１６は、本発明に係る精神疾患の治療装置６００の基本構成を示すブロック図である。この治療装置６００は、コンピュータの画面を利用して、患者からの入力を受け付け、その結果をコンピュータの画面に表示することにより、これまで述べてきた治療用シートや治療用具と同等の効果を、コンピュータの画面上で奏するためのものであり、自己と特定の相手との間の人間関係に関連した精神疾患の治療に用いることができる。
図示のとおり、この治療装置６００は、治療を受けるユーザ（患者）からの指示操作を入力する指示入力ユニット６１０と、当該ユーザに対する提示情報をディスプレイ画面上に表示する情報表示ユニット６２０と、指示入力ユニット６１０が入力した指示操作に基づいて所定の提示情報を作成し、これを情報表示ユニット６２０に与える情報処理ユニット６３０と、を備えている。
実際には、この治療装置６００は、コンピュータ（タブレットやスマートフォンなどの電子機器も含む）に所定のプログラムを組み込むことによって構成することができる。すなわち、指示入力ユニット６１０は、キーボード、マウス、タッチパネルなどのコンピュータ用入力機器によって構成することができ、情報表示ユニット６２０は、このコンピュータ用のディスプレイ装置によって構成することができる。また、情報処理ユニット６３０は、このコンピュータおよびそこにインストールされたアプリケーションプログラムの協働体として実現することができる。
ここでは、説明の便宜上、情報処理ユニット６３０を、描画処理部６３１、自己感情選択部６３２、自己メッセージ入力部６３３、相手感情選択部６３４、相手メッセージ入力部６３５、第三者コメント入力部６３６、統括制御部６３７という７つの機能要素の集合体として把握した説明を行うが、実際には、この情報処理ユニット６３０は、コンピュータのハードウェアとソフトウェアとの協働体として実現されることになる。
図１７は、情報表示ユニット６２０によって表示された第１の表示画面７１０を示す図である。この第１の表示画面７１０は、図４に示す第１の治療用シート１００に対応する画面であり、第１の治療用シート１００上に印刷されている情報を、ディスプレイ画面上に表示したものである。
第１の表示画面７１０は、図示のとおり、表題パート７１１（シート種別表示エリア１１０に対応）、シーン図パート７１２（図描画エリア１４０に対応）、インストラクションパート７１３（この装置に固有のパート）、コマンドパート７１４（この装置に固有のパート）、自己感情パート７１５（自己感情記入欄１２１に対応）、相手感情パート７１６（相手感情記入欄１３１に対応）、自己メッセージパート７１７（自己メッセージ記入欄１２２に対応）、相手メッセージパート７１８（相手メッセージ記入欄１３２に対応）、第三者パート７１９（第三者コメントエリア１５０に対応）、感情リストパートＬの各パートを有している。
インストラクションパート７１３は、ユーザの入力操作に対する指示を文字列として表示するためのパートであり、ユーザに対して次に行うべき指示が表示される。図示の例の場合、「シーン名を入力して下さい。」との指示が表示されている。これは、表題パート７１１の「シーン名」欄にシーン名の入力を促す指示である。このインストラクションパート７１３の表示は、ユーザが入力操作を行うたびに変遷してゆくことになる。
一方、コマンドパート７１４は、ユーザに、固有のコマンドを入力させるためのパートである。具体的には、「線」，「円」，「矩形」と記されたボタンは、シーン図パート７１２に絵を描くためのツールを選択するためのボタンであり、ユーザは、シーン図として線画を描く際には「線」ボタンを押して「線ツール」を選択する操作を行い、円を描く際には「円」ボタンを押して「円ツール」を選択する操作を行い、矩形を描く際には「矩形」ボタンを押して「矩形ツール」を選択する操作を行えばよい。このような各ツールを用いた描画機能は、既に種々の描画プログラムで公知であるため、ここでは詳細な説明は省略する。
その下の「取消」ボタンは、直前の操作を取り消すためのボタンであり、「完了」ボタンは、所定の操作が完了したことを指示するボタンである。また、左矢印ボタンは、表示を直前の頁に戻すボタンであり、右矢印ボタンは、表示を次の頁に送るボタンである。図示の例は、「ワークシート１」と記載された第１の治療用シート１００に相当する第１の表示画面（第１頁の画面）であるので、右矢印ボタンを押すと、後述する「ワークシート２」と記載された第２の治療用シート２００に相当する第２の表示画面（第２頁の画面）に移行することになり、左矢印ボタンを押すと、この前の頁（たとえば、初期説明頁）に移行することになる。このような種々の制御ボタンも、一般的なプログラムで公知であるため、ここでは詳細な説明は省略する。
描画処理部６３１は、図２に示す第１の治療用シートにおける図描画エリア１４０の機能をディスプレイ画面上で実現する役割を果たす構成要素であり、情報表示ユニット６２０を利用して、ユーザに対して、自己と相手についての特定のシーンを示す図を描く旨の指示を与え、指示入力ユニット６１０から与えられるユーザの指示操作に基づいてシーン図を作成し、これをディスプレイ画面上に表示する処理を行う。
図１８は、図１６に示す治療装置６００における描画処理部６３１による処理によってシーン図の入力が行われた状態を示す図である。具体的には、描画処理部６３１は、図１７のインストラクションパート７１３に表示されているように、「シーン名を入力して下さい。」との指示を提示し、ユーザが表題パート７１１の「シーン名」欄に「業務報告」なるシーン名を入力すると、図１８のインストラクションパート７１３に表示されているように「左の空欄にシーンを描いて下さい。」との指示を提示し、ユーザにシーン図を描かせる処理を行う。すなわち、描画処理部６３１は、ユーザが入力するコマンドやマウス操作などに応じて、図示のような絵を作成し、シーン図パート７１２に表示する処理を行う。図１８には、図８に示す例と同じシーン図が描かれた状態が示されている。
自己感情選択部６３２は、ユーザが描いたシーン図を、ディスプレイ画面上のシーン図パート７１２に表示し、感情を示す単語を複数列挙した感情リストを、ディスプレイ画面上の感情リストパートＬに表示させた状態で、表示されたシーン図についてユーザ自身が抱く感情を、表示中の感情リストの中から選択する旨の指示をユーザに対して与えることにより、特定の感情を自己感情として選択させる処理を行う。
図１９は、図１６に示す治療装置６００における自己感情選択部６３２による処理によって自己感情の入力が行われた状態を示す図である。具体的には、自己感情選択部６３２は、まず、インストラクションパート７１３に所定の指示を提示することにより、ユーザ自身の名前を自己感情パート７１５の空欄に入力させた後、図１９のインストラクションパート７１３に表示されているように、「あなたの感情を選択して下さい。」との指示を提示し、ユーザに感情リストパートＬに表示されている９つの感情の中から任意の感情を選択させる処理を実行する。
感情の選択は、たとえば、感情リストの任意のセルをクリックさせる操作によって行わせることができる。また、自己感情パート７１５の空欄に文字入力を行わせることにより、リストにない任意の感情を入力させることもできる。図１９には、ユーザ（患者）の名前として「Ｍｒ．Ｘ」が入力され、感情として「怒り」と「憎悪」を選択させた例が示されている。
自己メッセージ入力部６３３は、ユーザが描いたシーン図を、ディスプレイ画面上のシーン図パート７１２に表示し、ユーザが選択した自己感情を、ディスプレイ画面上の自己感情パート７１５に表示させた状態で、このシーン図について自己が相手に伝えたいメッセージを入力する旨の指示をユーザに対して与えることにより、特定のメッセージを自己メッセージとして入力する処理を行う。
図２０は、図１６に示す治療装置６００における自己メッセージ入力部６３３による処理によって自己メッセージの入力が行われた状態を示す図である。具体的には、自己メッセージ入力部６３３は、インストラクションパート７１３に表示されているように、「あなたのメッセージを入力して下さい。」との指示を提示し、ユーザに対して、自己メッセージパート７１７の空欄に文字列を入力させる処理を行う。図２０には、期待として「正しい評価を」なる文字列が入力され、意図として「業務環境の改善」なる文字列が入力された例が示されている。
一方、相手感情選択部６３４は、ユーザが描いたシーン図を、ディスプレイ画面上のシーン図パート７１２に表示し、感情を示す単語を複数列挙した感情リストを、ディスプレイ画面上の感情リストパートＬに表示させた状態で、表示されたシーン図について相手が抱くであろうと思われる感情を、表示中の感情リストの中から選択する旨の指示をユーザに対して与えることにより、特定の感情を相手感情として選択させる処理を行う。
図２１は、図１６に示す治療装置６００における相手感情選択部６３４による処理によって相手感情の入力が行われた状態を示す図である。具体的には、相手感情選択部６３４は、まず、インストラクションパート７１３に所定の指示を提示することにより、相手の名前を相手感情パート７１６の空欄に入力させた後、図２１のインストラクションパート７１３に表示されているように、「相手の感情を選択して下さい。」との指示を提示し、ユーザに感情リストパートＬに表示されている９つの感情の中から任意の感情を選択させる処理を実行する。
上述したとおり、感情の選択は、感情リストの任意のセルをクリックさせる操作で行わせることができるが、相手感情パート７１６の空欄に文字入力を行わせることにより、リストにない任意の感情を入力させるようにしてもよい。図２１には、相手の名前として「Ｍｒ．Ｙ」が入力され、感情として「軽蔑」と「失望」を選択させた例が示されている。
相手メッセージ入力部６３５は、ユーザが描いたシーン図を、ディスプレイ画面上のシーン図パート７１２に表示させ、ユーザが選択した相手感情を、ディスプレイ画面上の相手感情パート７１６に表示させた状態で、このシーン図について相手が自己に伝えたいであろうと思われるメッセージを入力する旨の指示をユーザに対して与えることにより、特定のメッセージを相手メッセージとして入力する処理を行う。
図２２は、図１６に示す治療装置６００における相手メッセージ入力部６３５による処理によって相手メッセージの入力が行われた状態を示す図である。具体的には、相手メッセージ入力部６３５は、インストラクションパート７１３に表示されているように、「相手のメッセージを入力して下さい。」との指示を提示し、ユーザに対して、相手メッセージパート７１８の空欄に文字列を入力させる処理を行う。図２２には、期待として「営業努力」なる文字列が入力され、意図として「実績改善」なる文字列が入力された例が示されている。
第三者コメント入力部６３６は、ユーザが描いたシーン図を、ディスプレイ画面上のシーン図パート７１２に表示させ、ユーザが選択した自己感情を、ディスプレイ画面上の自己感情パート７１５に表示させ、ユーザが入力した自己メッセージを、ディスプレイ画面上の自己メッセージパート７１７に表示させ、ユーザが選択した相手感情を、ディスプレイ画面上の相手感情パート７１６に表示させ、ユーザが入力した相手メッセージを、ディスプレイ画面上の相手メッセージパート７１８に表示させた状態で、このシーン図に描かれているシーンに第三者が存在したと仮定した場合に、当該第三者が言及するであろうと思われるコメントを入力する旨の指示をユーザに対して与えることにより、特定のコメントを第三者コメントとして入力する処理を行う。
図２３は、図１６に示す治療装置６００における第三者コメント入力部６３６による処理によって第三者コメントの入力が行われた状態を示す図である。具体的には、第三者コメント入力部６３６は、インストラクションパート７１３に表示されているように、「第三者のコメントを入力して下さい。」との指示を提示し、ユーザに対して、第三者パート７１９の空欄に文字列を入力させる処理を行う。図２３には、第三者の名前として「Ｍｒ．Ｚ」が入力され、第三者コメントとして「相互に相手を理解する努力を」なる文字列が入力された例が示されている。
統括制御部６３７は、描画処理部６３１、自己感情選択部６３２、自己メッセージ入力部６３３、相手感情選択部６３４、相手メッセージ入力部６３５、第三者コメント入力部６３６が、所定の順序で順番に処理を行うように制御する役割を果たす。すなわち、上例の場合は、まず、描画処理部６３１に処理を実行させ、続いて、自己感情選択部６３２に処理を実行させ、以下同様に、自己メッセージ入力部６３３、相手感情選択部６３４、相手メッセージ入力部６３５、第三者コメント入力部６３６の順に処理を実行させる制御を行う。
以上述べた処理は、§２で述べた治療用シート１００の使用方法に基づく処理であり、基本的には、図１７に示す第１の表示画面７１０に対する入力操作で完了する処理である。
もちろん、図１６に示す治療装置６００を用いて、§５で述べた精神疾患の治療用具と同等の治療法を施すことも可能である。この場合は、描画処理部６３１、自己感情選択部６３２、自己メッセージ入力部６３３、相手感情選択部６３４、相手メッセージ入力部６３５、第三者コメント入力部６３６が、同一の表示画面（たとえば、図１７に示す第１の表示画面７１０）を利用してユーザからの指示操作を入力し、当該指示操作によって入力された情報を当該同一の表示画面に表示させる一巡の情報入力機能を果たすことができるようにしておき、統括制御部６３７によって、第１の表示画面７１０を利用した第１巡目の情報入力、第２の表示画面７２０を利用した第２巡目の情報入力、第３の表示画面７３０を利用した第３巡目の情報入力が順に行われるよう制御すればよい。
ここで、第１の表示画面７１０は、図４に示す第１の治療用シート１００に対応する画面になるようにし、第２の表示画面７２０は、図５に示す第２の治療用シート２００に対応する画面になるようにし、第３の表示画面７３０は、図６に示す第３の治療用シート３００に対応する画面になるようにする。また、総括用シート４００に対応する画面として、第４の表示画面７４０を用いた総括用の情報入力を最後に行うようにしてもよい。
図２４は、図１６に示す治療装置６００において、第２の表示画面７２０上で第２巡目の情報入力が行われている状態を示す図である。第２の表示画面７２０は、図５に示す第２の治療用シート２００に対応する画面であり、図示のとおり、表題パート７２１（シート種別表示エリア２１０に対応）、シーン図パート７２２（図描画エリア２４０に対応）、インストラクションパート７２３（この装置に固有のパート）、コマンドパート７２４（この装置に固有のパート）、自己感情パート７２５（自己感情記入欄２２１に対応）、相手感情パート７２６（相手感情記入欄２３１に対応）、自己メッセージパート７２７（自己メッセージ記入欄２２２に対応）、相手メッセージパート７２８（相手メッセージ記入欄２３２に対応）、第三者パート７２９（第三者コメントエリア２５０に対応）、感情リストパートＬの各パートを有している。
これら各パートの内容および入力要領は、前述した第１の表示画面７１０の各パートの内容および入力要領と同様である。ただ、この第２の表示画面７２０上での入力を行うにあたり、第１の表示画面７１０の自己感情パート７１５および自己メッセージパート７１７に入力した内容を相手に伝え、逆に、第１の表示画面７１０の相手感情パート７１６および相手メッセージパート７１８に入力した内容が自己に伝えられたという前提で、自己および相手に起こるべき心境の変化を考慮した上で、第２の表示画面７２０上での入力を行う旨の指示を明確に与えるようにする。
前述したとおり、コマンドパート７２４には、左右の矢印ボタンが設けられており、この矢印ボタンにより、表示画面を前頁へ戻したり、次頁に送ったりすることができるので、ユーザは、第１の表示画面７１０と第２の表示画面７２０とを適宜切り替えることができ、第１の表示画面７１０上での入力内容を確認することができる。図２４は、ユーザがこのような方法で、第２の表示画面７２０への入力操作を行っている途中（相手メッセージパート７２８への入力途中）の状態を示している（入力内容は、図９に示す例と同じである）。
図２５は、図１６に示す治療装置６００において、第３の表示画面７３０上で第３巡目の情報入力が行われている状態を示す図である。第３の表示画面７３０は、図６に示す第３の治療用シート３００に対応する画面であり、図示のとおり、表題パート７３１（シート種別表示エリア３１０に対応）、シーン図パート７３２（図描画エリア３４０に対応）、インストラクションパート７３３（この装置に固有のパート）、コマンドパート７３４（この装置に固有のパート）、自己感情パート７３５（自己感情記入欄３２１に対応）、相手感情パート７３６（相手感情記入欄３３１に対応）、自己メッセージパート７３７（自己メッセージ記入欄３２２に対応）、相手メッセージパート７３８（相手メッセージ記入欄３３２に対応）、第三者パート７３９ａ，７３９ｂ（特定人物欄３５１，一般第三者欄３５２に対応）、感情リストパートＬの各パートを有している。
これら各パートの内容および入力要領は、前述した第２の表示画面７２０の各パートの内容および入力要領とほぼ同じである。実際には、各欄の入力順序や、表題に若干の相違があるが、この点については、§５において、第３の治療用シート３００の構成および記入方法として既に説明済みであるので、ここでは説明は省略する。なお、この第３の表示画面７３０上での入力を行うにあたっては、第２の表示画面７２０の自己感情パート７２５および自己メッセージパート７２７に入力した内容を相手に伝え、逆に、第２の表示画面７２０の相手感情パート７２６および相手メッセージパート７２８に入力した内容が自己に伝えられたという前提で、自己および相手に起こるべき心境の変化を考慮した上で、第３の表示画面７３０上での入力を行う旨の指示を明確に与えるようにする。
図示のとおり、コマンドパート７３４には、左右の矢印ボタンが設けられており、この矢印ボタンにより、表示画面を前頁へ戻したり、次頁に送ったりすることができるので、ユーザは、第２の表示画面７２０と第３の表示画面７３０とを適宜切り替えることができ、第２の表示画面７２０上での入力内容を確認することができる。図２５は、ユーザがこのような方法で、第３の表示画面７３０への入力操作を行っている途中（自己感情パート７３５への入力途中）の状態を示している（入力内容は、図１０に示す例と同じである）。
図２６は、図１６に示す治療装置６００において、第４の表示画面７４０上で最後の総括情報入力を開始する状態を示す図である。第４の表示画面７４０は、図７に示す総括用シート４００に対応する画面であり、図示のとおり、表題パート７４１（シート種別表示エリア４１０に対応）、シーン図パート７４２（総括用シート４００には対応エリアは存在しない）、インストラクションパート７４３（この装置に固有のパート）、コマンドパート７４４（この装置に固有のパート）、総括質問パート７４５（総括質問エリア４９０に対応）の各パートを有している。
これら各パートの内容および入力要領は、図７に示す総括用シート４００についての内容および記入要領とほぼ同じである。なお、シーン図パート７４２には、図２５のシーン図パート７３２に描かれた絵と同じ絵を表示するようにしている。このシーン図パート７４２に対しては、描画作業を行う必要がないので、コマンドパート７４４には、描画に必要なコマンドボタンは設けられていない。また、この第４の表示画面７４０が最終頁になるので、矢印ボタンとしては、前頁に送る左矢印ボタンのみが設けられている。
ユーザが、総括質問パート７４５への入力を終えて、コマンドパート７４４の終了ボタンを押すと、すべての作業を完了することができる。この実施例の場合、コマンドパート７４４にはプリントボタンが設けられており、ユーザがプリントボタンを押すことにより、これまで入力作業を行ってきた第１の表示画面７１０、第２の表示画面７２０、第３の表示画面７３０、第４の表示画面７４０の内容を紙面上にプリントアウトすることも可能である。
以上、図１６に示す精神疾患の治療装置６００の処理動作を具体例を示しながら説明したが、もちろん、これらの具体例は一実施例を示すものであり、本発明に係る精神疾患の治療装置は、これらの具体例に限定されるものではない。特に、インストラクションパート７１３，７２３，７３３，７４３に例示した指示は、説明の便宜上、極めて簡単な文字列による指示になっているが、実用上は、より詳しい指示を行うのが好ましい。もちろん、文字列による指示の代わりに、音声による指示や動画による指示を行うようにしてもよい。
また、上例の場合、１つの画面には、１組の感情リストパートＬのみを設けているが、もちろん、自己感情選択用の感情リストと相手感情選択用の感情リストを別々に設けてもかまわない。ただ、治療用シートという物理的な媒体を用いる実施例の場合は、感情リストに丸印を記入して選択を行うことになるため、自己感情選択用の感情リストと相手感情選択用の感情リストとを別々に設けているが、コンピュータを利用して構築される精神疾患の治療装置の場合は、上例のように、選択操作を受け付けるための共用の感情リストを１組だけ設けておけば十分である。
なお、図１６に示す精神疾患の治療装置６００は、インターネットなどのネットワークを介して接続されたサーバコンピュータとクライアントコンピュータ（タブレットやスマートフォンなどの電子機器も含む）とによって構成することも可能である。たとえば、指示入力ユニット６１０と情報表示ユニット６２０をクライアントコンピュータによって構成し、情報処理ユニット６３０の一部分をクライアントコンピュータで構成し、残りの一部分をサーバコンピュータで構成することも可能である。
【産業上の利用可能性】
【０００９】
本発明に係る精神疾患の治療用シート、精神疾患の治療用具、精神疾患の治療装置は、人間関係に関連した精神疾患の治療の用に供することができ、医療用具や医療機器を提供する産業に広く利用することが可能である。なお、本願では、「治療」という文言を広義で用いており、資格を有する医師によって施術される法律的な医療行為だけに限定されず、様々な企業や団体に所属するコンサルタントや相談員によって施術される行為も広く含むものである。要するに、本発明にいう「治療」とは、精神的に落ち込んだ状態を快方に向かわせるための行為を広く意味するものである。また、本発明にいう「精神疾患」とは、広く精神的に落ち込んだ状態を指す。一般に心因性の精神疾患と健常者の落ち込んだ状態との間には明確な境目はなく、両者の相違は、あくまでスペクトラム状の分類であるとされている。そこで本願では、精神的に落ち込んでおり何かしらの「治療」を必要とするもの、あるいは理想的な精神状態に対し、現状の精神状態にギャップがあり改善を望むものを、広く「精神疾患」と呼ぶことにする。
【図１】
2018073974.tif 000003
【図２】
2018073974.tif 000004
【図３】
2018073974.tif 000005
【図４】
2018073974.tif 000006
【図５】
2018073974.tif 000007
【図６】
2018073974.tif 000008
【図７】
2018073974.tif 000009
【図８】
2018073974.tif 000010
【図９】
2018073974.tif 000011
【図１０】
2018073974.tif 000012
【図１１】
2018073974.tif 000013
【図１２】
2018073974.tif 000014
【図１３】
2018073974.tif 000015
【図１４】
2018073974.tif 000016
【図１５】
2018073974.tif 000017
【図１６】
2018073974.tif 000018
【図１７】
2018073974.tif 000019
【図１８】
2018073974.tif 000020
【図１９】
2018073974.tif 000021
【図２０】
2018073974.tif 000022
【図２１】
2018073974.tif 000023
【図２２】
2018073974.tif 000024
【図２３】
2018073974.tif 000025
【図２４】
2018073974.tif 000026
【図２５】
2018073974.tif 000027
【図２６】
2018073974.tif 000028
【手続補正書】
【提出日】平成30年6月26日(2018.6.26)
【手続補正１】
【補正対象書類名】明細書
【補正対象項目名】全文
【補正方法】変更
【補正の内容】
【発明の詳細な説明】
【技術分野】
【０００１】
本発明は、精神疾患の治療用具および治療装置に関し、特に、自己と特定の相手との間の人間関係に関連した精神疾患の治療に用いる精神疾患の治療用具および治療装置に関する。
【背景技術】
【０００２】
現代社会において、精神疾患や精神障害と呼ばれる症状をもつ患者は、今後も益々増加する傾向にあると予想されており、副作用のない効果的な治療法が望まれている。特に、心因性の精神疾患の典型例というべき鬱病は、社会活動の中枢をなす若年層から現役引退後の老年層に至るまで、幅広い年齢層で患者が発生しており、大きな社会問題になっている。鬱病患者は、強い悲しみ、失望感、意欲や集中力の低下、大きな不安感などを抱いており、不眠、食欲減退、頭痛などの症状を訴えることも少なくない。
【０００３】
このような鬱病の診断には、様々な方法が提案されている。たとえば、下記の特許文献１には、患者にカード状の質問票を渡して回答させ、得られた回答結果に基づいてファジィ推論を適用することにより、症状を正確に評価する技術が開示されている。一方、鬱病の治療方法も、種々の方法が提案され、実際に施術されている。たとえば、化学的な治療方法としては、様々な抗鬱薬が処方されている。また、物理的な治療方法も研究されており、たとえば、下記の特許文献２には、高周波パルス列の低周波シーケンスによって、脳のニューロンに対して電気的な刺激を与える精神疾患の治療装置が開示されている。また、特許文献３には、患者の目に対して左右に移動する発光点を提示することにより精神疾患を治療する顔面装着型の治療装置が開示されている。
【先行技術文献】
【特許文献】
【０００４】
【特許文献１】国際公開第ＷＯ２００４／０８０３１２号公報
【特許文献２】国際公開第ＷＯ２００６／０６３５５８号公報
【特許文献３】国際公開第ＷＯ２００９／１４２３８０号公報
【発明の概要】
【発明が解決しようとする課題】
【０００５】
現在、鬱病の治療法としては、投薬による化学的な治療法と、専門医によるカウンセリングによる方法が一般的である。ただ、薬物投与には副作用の問題があり、専門医によるカウンセリングだけでは、必ずしも効果的な治療を行うことができないという問題がある。特に、現代人の鬱病は、患者を取り巻く他人との人間関係に関連するものが多いが、専門医によるカウンセリングだけでは、患者の内的感情を正確に聞き出すことが困難であり、十分な治療効果を奏することができない。
【０００６】
そこで、本発明は、人間関係に関連した精神疾患の治療を効果的に行うことが可能な精神疾患の治療用具および治療装置を提供することを目的とする。
【課題を解決するための手段】
【０００７】
(1)   本発明の第１の態様は、自己と特定の相手との間の人間関係に関連した精神疾患の治療に用いる精神疾患の治療用シートにおいて、
任意の図を描画するための空白部分を有する図描画エリアと、自己の気持ちに関する情報を記入するための自己情報記入エリアと、相手の気持ちに関する情報を記入するための相手情報記入エリアと、第三者のコメントを記入するための第三者コメントエリアと、を設け、
自己情報記入エリアには、自己の感情を記入するための自己感情記入欄を設け、相手情報記入エリアには、相手の感情を記入するための相手感情記入欄を設けるようにし、
自己感情記入欄および相手感情記入欄には、それぞれ、感情を示す単語を複数列挙した感情リストを配置するようにしたものである。
【０００８】
(2)   本発明の第２の態様は、上述した第１の態様に係る精神疾患の治療用シートにおいて、
自己感情記入欄および相手感情記入欄に、罫線で囲まれた複数のセルにそれぞれ感情を示す単語が記載された感情リストを配置したものである。
【０００９】
(3)   本発明の第３の態様は、上述した第１または第２の態様に係る精神疾患の治療用シートにおいて、
図描画エリアには、図を描くエリアであることを示す表題が記載されており、自己情報記入エリアには、自己の情報を記入するエリアであることを示す表題が記載されており、相手情報記入エリアには、相手の情報を記入するエリアであることを示す表題が記載されており、第三者コメントエリアには、第三者のコメントを記入するエリアであることを示す表題が記載されているようにしたものである。
【００１０】
(4)   本発明の第４の態様は、上述した第１〜第３の態様に係る精神疾患の治療用シートにおいて、
シートを縦方向に貫く中心線を定義したときに、自己情報記入エリアは中心線よりも左側に配置され、相手情報記入エリアは中心線よりも右側に配置され、図描画エリアおよび第三者コメントエリアは中心線を跨いで、中心線が中心となるように配置されているようにしたものである。
【００１１】
(5)   本発明の第５の態様は、上述した第１〜第４の態様に係る精神疾患の治療用シートにおいて、
自己情報記入エリアは、更に、自己から相手に伝えたいメッセージを記入するための自己メッセージ記入欄を含んでおり、
相手情報記入エリアは、更に、相手から自己に伝えたいメッセージを記入するための相手メッセージ記入欄を含んでいるようにしたものである。
【００１２】
(6)   本発明の第６の態様は、上述した第５の態様に係る精神疾患の治療用シートにおいて、
図描画エリア、自己感情記入欄、自己メッセージ記入欄、相手感情記入欄、相手メッセージ記入欄、第三者コメントエリアの順序で記入を行うことを示すための記入順序符号が各エリアもしくは各欄に記載されているようにしたものである。
【００１３】
(7)   本発明の第７の態様は、上述した第５の態様に係る精神疾患の治療用シートを３組用いて精神疾患の治療用具を構成するようにし、
第１の治療用シートには、当該第１の治療用シートが第１番目の記入対象となるシートであることを示すシート種別記号が表示されたシート種別表示エリアが設けられており、
第２の治療用シートには、当該第２の治療用シートが第２番目の記入対象となるシートであることを示すシート種別記号が表示されたシート種別表示エリアが設けられており、
第３の治療用シートには、当該第３の治療用シートが第３番目の記入対象となるシートであることを示すシート種別記号が表示されたシート種別表示エリアが設けられており、
第２の治療用シートには、第１の治療用シートの自己情報記入エリアに記入された内容が相手に伝えられ、第１の治療用シートの相手情報記入エリアに記入された内容が自己に伝えられたという想定で、当該第２の治療用シートへの記入を行う旨の指示が記載されており、
第３の治療用シートには、第２の治療用シートの自己情報記入エリアに記入された内容が相手に伝えられ、第２の治療用シートの相手情報記入エリアに記入された内容が自己に伝えられたという想定で、当該第３の治療用シートへの記入を行う旨の指示が記載されているようにしたものである。
【００１４】
(8)   本発明の第８の態様は、上述した第７の態様に係る精神疾患の治療用具において、
第３の治療用シートの第三者コメントエリアには、特定の人物の感情およびアドバイスを記入する特定人物欄と、一般第三者のコメントを記入するための一般第三者欄と、が設けられており、
第１の治療用シートおよび第２の治療用シートには、図描画エリア、自己感情記入欄、自己メッセージ記入欄、相手感情記入欄、相手メッセージ記入欄、第三者コメントエリアの順序で記入を行うことを示すための記入順序符号が各エリアもしくは各欄に記載されており、
第３の治療用シートには、図描画エリア、特定人物欄、自己感情記入欄、自己メッセージ記入欄、相手感情記入欄、相手メッセージ記入欄、一般第三者欄の順序で記入を行うことを示すための記入順序符号が各エリアもしくは各欄に記載されているようにしたものである。
【００１５】
(9)   本発明の第９の態様は、上述した第７または第８の態様に係る精神疾患の治療用具において、
第１の治療用シート、第２の治療用シート、第３の治療用シートに加えて、更に、総括用シートを設け、
総括用シートには、当該総括用シートが第４番目の記入対象となるシートであることを示すシート種別記号が表示されたシート種別表示エリアが設けられており、第１〜第３の治療用シートの記入内容の変遷を振り返ったときの感想を記入する旨の指示が記載されているようにしたものである。
【００１６】
(10)  本発明の第１０の態様は、自己と特定の相手との間の人間関係に関連した精神疾患の治療に用いる精神疾患の治療装置において、
治療を受けるユーザからの指示操作を入力する指示入力ユニットと、ユーザに対する提示情報をディスプレイ画面上に表示する情報表示ユニットと、指示入力ユニットが入力した指示操作に基づいて所定の提示情報を作成し、これを情報表示ユニットに与える情報処理ユニットと、を設け、
情報処理ユニットが、
ユーザに対して、自己と相手についての特定のシーンを示す図を描く旨の指示を与え、ユーザの指示操作に基づいてシーン図を作成し、これをディスプレイ画面上に表示する処理を行う描画処理部と、
シーン図と、感情を示す単語を複数列挙した感情リストと、をディスプレイ画面上に表示させ、シーン図についてユーザ自身が抱く感情を、表示中の感情リストの中から選択する旨の指示をユーザに対して与えることにより、特定の感情を自己感情として選択させる処理を行う自己感情選択部と、
シーン図と、自己感情と、をディスプレイ画面上に表示させ、シーン図について自己が相手に伝えたいメッセージを入力する旨の指示をユーザに対して与えることにより、特定のメッセージを自己メッセージとして入力する処理を行う自己メッセージ入力部と、
シーン図と、感情を示す単語を複数列挙した感情リストと、をディスプレイ画面上に表示させ、シーン図について相手が抱くであろうと思われる感情を、表示中の感情リストの中から選択する旨の指示をユーザに対して与えることにより、特定の感情を相手感情として選択させる処理を行う相手感情選択部と、
シーン図と、相手感情と、をディスプレイ画面上に表示させ、シーン図について相手が自己に伝えたいであろうと思われるメッセージを入力する旨の指示をユーザに対して与えることにより、特定のメッセージを相手メッセージとして入力する処理を行う相手メッセージ入力部と、
シーン図と、自己感情および自己メッセージと、相手感情および相手メッセージと、をディスプレイ画面上に表示させ、シーン図に描かれているシーンに第三者が存在したと仮定した場合に、当該第三者が言及するであろうと思われるコメントを入力する旨の指示をユーザに対して与えることにより、特定のコメントを第三者コメントとして入力する処理を行う第三者コメント入力部と、
描画処理部、自己感情選択部、自己メッセージ入力部、相手感情選択部、相手メッセージ入力部、第三者コメント入力部が、所定の順序で順番に処理を行うように制御する統括制御部と、
を有するようにしたものである。
【００１７】
(11)  本発明の第１１の態様は、上述した第１０の態様に係る精神疾患の治療装置において、
描画処理部、自己感情選択部、自己メッセージ入力部、相手感情選択部、相手メッセージ入力部、第三者コメント入力部が、同一の表示画面を利用してユーザからの指示操作を入力し、当該指示操作によって入力された情報を当該同一の表示画面に表示させる一巡の情報入力機能を有するようにし、
統括制御部が、第１の表示画面を利用した第１巡目の情報入力、第２の表示画面を利用した第２巡目の情報入力、第３の表示画面を利用した第３巡目の情報入力が順に行われるよう制御を行うようにしたものである。
【００１８】
(12)  本発明の第１２の態様は、上述した第１０または第１１の態様に係る精神疾患の治療装置を、コンピュータにプログラムを組み込むことにより構成したものである。
【発明の効果】
【００１９】
本発明に係る精神疾患の治療用シートには、自己と相手についての特定のシーンを描くための図描画エリアと、自己の感情や相手へのメッセージを記入するための自己情報記入エリアと、相手の感情や自己へのメッセージを推察して記入するための相手情報記入エリアと、第三者のコメントを記入するための第三者コメントエリアと、が設けられている。したがって、この治療用シートに記入を行う患者は、ある特定のシーンを思い浮かべながら、その時の自分の感情や相手に伝えたい内容を整理することができ、更に、これに応じて相手から返されるであろう相手の感情やメッセージを思い浮かべることができ、更に、当該シーンに第三者が居た場合を想定して、当該第三者のコメントを推察することができる。このため、相手に対する自分の気持ちを整理することができ、相手の立場や第三者の目を通じた客観的な状況把握を行うことができるようになり、患者自身の自発的な精神活動により、鬱病の効果的な治療が可能になる。
【００２０】
また、本発明に係る精神疾患の治療用具は、上記治療用シートを３組有しており、患者に対して、これら３組のシートに順次記入する操作を行わせることができる。しかも、３組のシートには、時系列的な順番が定められており、前のシートに記入した内容が相手方に伝えられたものとして、次のシートへの記入が促されるため、相手に対する感情に変化を誘発させる効果が得られるため、より効果的な治療が可能になる。
【００２１】
一方、本発明に係る精神疾患の治療装置は、コンピュータの画面を利用して、患者からの入力を受け付け、その結果をコンピュータの画面に表示することにより、上記治療用シートや上記治療用具と同等の効果を、コンピュータの画面上で奏することが可能になる。
【図面の簡単な説明】
【００２２】
【図１】本発明に係る精神疾患の治療用シートの基本的なエリア構成を示す平面図である。
【図２】本発明に係る精神疾患の治療用シートの具体的な実施例を示す平面図である。
【図３】図２に示す治療用シートを含む精神疾患の治療用具の構成を示す図である。
【図４】図３に示す精神疾患の治療用具の構成要素となる第１の治療用シート１００の平面図である。
【図５】図３に示す精神疾患の治療用具の構成要素となる第２の治療用シート２００の平面図である。
【図６】図３に示す精神疾患の治療用具の構成要素となる第３の治療用シート３００の平面図である。
【図７】図３に示す精神疾患の治療用具の構成要素となる総括用シート４００の平面図である。
【図８】図４に示す第１の治療用シート１００に対して患者が記入作業を完了した状態を示す平面図である。
【図９】図５に示す第２の治療用シート２００に対して患者が記入作業を完了した状態を示す平面図である。
【図１０】図６に示す第３の治療用シート３００に対して患者が記入作業を完了した状態を示す平面図である。
【図１１】図７に示す総括用シート４００に対して患者が記入作業を完了した状態を示す平面図である。
【図１２】図４に示す第１の治療用シート１００のより具体的な実施例の一例を示す平面図である。
【図１３】図５に示す第２の治療用シート２００のより具体的な実施例の一例を示す平面図である。
【図１４】図６に示す第３の治療用シート３００のより具体的な実施例の一例を示す平面図である。
【図１５】図７に示す総括用シート４００のより具体的な実施例の一例を示す平面図である。
【図１６】本発明に係る精神疾患の治療装置６００の基本構成を示すブロック図である。
【図１７】図１６に示す治療装置６００における情報表示ユニット６２０によって表示される画面の一例を示す図である。
【図１８】図１６に示す治療装置６００における描画処理部６３１による処理によってシーン図の入力が行われた状態を示す図である。
【図１９】図１６に示す治療装置６００における自己感情選択部６３２による処理によって自己感情の入力が行われた状態を示す図である。
【図２０】図１６に示す治療装置６００における自己メッセージ入力部６３３による処理によって自己メッセージの入力が行われた状態を示す図である。
【図２１】図１６に示す治療装置６００における相手感情選択部６３４による処理によって相手感情の入力が行われた状態を示す図である。
【図２２】図１６に示す治療装置６００における相手メッセージ入力部６３５による処理によって相手メッセージの入力が行われた状態を示す図である。
【図２３】図１６に示す治療装置６００における第三者コメント入力部６３６による処理によって第三者コメントの入力が行われた状態を示す図である。
【図２４】図１６に示す治療装置６００において、第２巡目の情報入力が行われている状態をを示す図である。
【図２５】図１６に示す治療装置６００において、第３巡目の情報入力が行われている状態を示す図である。
【図２６】図１６に示す治療装置６００において、最後の総括情報入力が行われている状態を示す図である。
【発明を実施するための形態】
【００２３】
以下、本発明を図示する実施形態に基づいて説明する。
【００２４】
＜＜＜  §１．精神疾患の治療用シートの基本構成  ＞＞＞
はじめに、本発明に係る精神疾患の治療用シートの基本構成を説明する。図１は、この治療用シート１００の基本的なエリア構成を示す平面図である。この治療用シート１００には、図１に太線の輪郭で囲って示すように、シート種別表示エリア１１０、自己情報記入エリア１２０、相手情報記入エリア１３０、図描画エリア１４０、第三者コメントエリア１５０という５つのエリアが設けられている。図には、説明の便宜上、各エリアの名称を、円弧状の括弧（parenthesis）内に記載した。以下、これら各エリアの構成および役割を順に説明する。
【００２５】
まず、シート１００の上部に配置されているシート種別表示エリア１１０は、当該シート１００が何番目のシートであるかを示すシート種別記号を表示するためのエリアである。この§１で述べる例は、単一の治療用シート１００についての実施例であり、１枚の治療用シート１００のみを用いて治療を行うことができる。ただ、治療効果をより高める上では、§４で述べる治療用具を用いるのが好ましい。§４で述べる例は、３種類の治療用シートを用いた実施例であるため、３枚の治療用シートを相互に区別する必要がある。シート種別表示エリア１１０は、シートを区別するためのシート種別記号を表示するために利用される。
【００２６】
シート１００の中央に配置されている図描画エリア１４０は、任意の図を描画するための空白部分を有するエリアである。後述するように、この図描画エリア１４０には、患者が、自己と相手についての特定のシーンを示す図を描くことになるので、そのようなシーン図を描くのに適したエリアになるようにする。
【００２７】
シート１００の左側に配置されている自己情報記入エリア１２０は、患者が自己の気持ちに関する情報を記入するためのエリアであり、この実施例の場合、図示のとおりＬ字型をしている。破線で分離して示すとおり、この自己情報記入エリア１２０には、自己の感情を記入するための自己感情記入欄１２１（上段）と、自己から相手に伝えたいメッセージを記入するための自己メッセージ記入欄１２２（下段）とが設けられている。図には、説明の便宜上、各欄の名称を、角型の括弧（bracket）内に記載した。
【００２８】
一方、シート１００の右側に配置されている相手情報記入エリア１３０は、患者が相手の気持ちに関する情報を記入するためのエリアであり、この実施例の場合、図示のとおりＬ字型をしている。破線で分離して示すとおり、この相手情報記入エリア１３０には、相手の感情を記入するための相手感情記入欄１３１（上段）と、相手から自己に伝えたいメッセージを記入するための相手メッセージ記入欄１３２（下段）とが設けられている。図には、説明の便宜上、各欄の名称を、角型の括弧（bracket）内に記載した。
【００２９】
そして、シート１００の下部に配置されている第三者コメントエリア１５０は、第三者のコメントを記入するためのエリアである。
【００３０】
図２は、本発明に係る精神疾患の治療用シート１００の具体的な実施例を示す平面図である。既に図１を参照して説明したとおり、この精神疾患の治療用シート１００には、シート種別表示エリア１１０、自己情報記入エリア１２０、相手情報記入エリア１３０、図描画エリア１４０、第三者コメントエリア１５０という５つのエリアが設けられている。なお、図１では、説明の便宜上、これら５つのエリアの境界を太線で示したが、実際には、各エリアの境界は必ずしも太線にする必要はない。
【００３１】
この治療用シート１００は、自己と特定の相手との間の人間関係に関連した精神疾患の治療に用いるシートであり、所定の指示に基づいて患者自身にシートの所定箇所に所定事項を記入させることにより治療効果が得られる。したがって、治療用シート１００自体の材質は、記入作業に適したものであればどのようなものであってもかまわない。実用上は、一般的な紙のシートを用いるのが好ましい。
【００３２】
図１が、治療用シート１００上に設けられる各エリアの構成を示すための図であるのに対して、図２は、この治療用シート１００の具体例を示す平面図である。図示のとおり、この治療用シート１００の実体は、紙のシート上に罫線や文字を印刷した印刷物であるが、その印刷された内容および配置に特徴がある。このため、患者に対して、後述する方法によって適切な指示を与え、所定の記入作業を行わせることにより、自己と特定の相手との間の人間関係に関連した精神疾患に対して有意な治療効果が得られる。
【００３３】
図２に示す治療用シート１００の場合、シート種別表示エリア１１０の右端には、「ワークシート１」なるシート種別記号が表示されている。この記号は、当該シート１００が第１番目のシートである旨を示している。上述したとおり、この治療用シート１００を単独で用いた治療を行う際には、シート種別表示エリア１１０は不要であるが、§２で述べる例のように、複数枚の治療用シートを用いた治療を行う場合には、各シートについての記入順序を示すため、シート種別記号を表示するのが好ましい。なお、図示の例では、シート種別表示エリア１１０の左端に、「シーン名」を記入する欄が設けられている。この欄は、図描画エリア１４０に描くシーンの表題を記入するための欄であり、本発明を実施する上で必ずしも必要なものではない。
【００３４】
図描画エリア１４０は、矩形の枠で囲まれた部分であり、図示の例の場合、「シーンの図示」という表題、すなわち、当該エリアが、図を描くエリアであることを示す表題が記載されている。図描画エリア１４０の内部は、その大部分が図を描画するための空白部分になっており、後述するように、患者は、ここに自己と相手についての特定のシーンを示す図を描くことになる。シート種別表示エリア１１０の「シーン名」欄には、ここに描いたシーンの表題が記入される。
【００３５】
自己情報記入エリア１２０の上段に配置された自己感情記入欄１２１には、「あなた自身『        』」という表示がなされている。この表示は、自己情報記入エリア１２０が、自己の情報を記入するエリアであることを示す表題であり、患者は、「        」の部分に自分の名前を記入するよう指示される。その下には、感情を示す単語を複数列挙した感情リストが配置されている。図示の例の場合、３行３列に配置された各セルに、「喜び」，「寂しさ」，「心配」，「怒り」，「憎悪」，「失望」，「悲しみ」，「軽蔑」，「恐怖」という９種類の感情を示す単語が記載されている。患者は、図描画エリア１４０に描いたシーンを思い浮かべながら、その時に抱いた感情に丸印をつけるよう指示される。
【００３６】
また、自己情報記入エリア１２０の下段に配置された自己メッセージ記入欄１２２は、「相手への期待」と記載された記入欄と「期待の意図」と記載された記入欄によって構成されており、自己から相手に伝えたいメッセージを記入するために利用される。患者は、図描画エリア１４０に描いたシーンに関連して、相手への期待とその意図を記入するよう指示される。
【００３７】
一方、相手情報記入エリア１３０の上段に配置された相手感情記入欄１３１には、「相手『        』さん」という表示がなされている。この表示は、相手情報記入エリア１３０が、相手の情報を記入するエリアであることを示す表題であり、患者は、「        」の部分に相手の名前を記入するよう指示される。その下には、やはり３行３列に配置された各セルに９種類の感情を示す単語を記載した感情リストが配置されている。患者は、図描画エリア１４０に描いたシーンを思い浮かべながら、その時に相手が抱いたであろうと思われる感情に丸印をつけるよう指示される。
【００３８】
また、相手情報記入エリア１３０の下段に配置された相手メッセージ記入欄１３２は、「自己への期待」と記載された記入欄と「期待の意図」と記載された記入欄によって構成されており、相手が自己に伝えたいと推定されるメッセージを記入するために利用される。患者は、図描画エリア１４０に描いたシーンに関連して、相手が自己に対して抱いたであろうと思われる期待とその意図を記入するよう指示される。
【００３９】
第三者コメントエリア１５０には、「第三者『        』さんのコメント」という表示がなされている。この表示は、第三者コメントエリア１５０が、第三者のコメントを記入するエリアであることを示す表題であり、患者は、「        」の部分に、上記シーンに存在したと仮定する第三者の名前を記入し、更に、当該第三者が上記シーンを目撃していたと仮定した場合に、当該第三者が言及するであろうと思われるコメントを記入するよう指示される。
【００４０】
＜＜＜  §２．精神疾患の治療用シートの使用方法  ＞＞＞
続いて、図２に示す治療用シート１００の具体的な使用方法、すなわち、当該シートを用いた具体的な治療方法の手順を説明する。はじめに、当該治療用シート１００を患者に手渡し、指示にしたがって、各欄に順次記入を行うように指示する。具体的には、施術者は、次の(1) 〜(9) の指示を順番に患者に与えるようにすればよい。なお、以下の(1) 〜(9) の指示は、図２に示す治療用シート１００に丸数字１〜９が付された各欄についての記入指示に対応している。本願では、図において丸数字ｘ（ｘ＝１〜１０）が記されている部分を、便宜上、「第ｘ欄」と呼ぶことにする。図２に示す治療用シート１００の場合、「第１欄」〜「第９欄」が設けられている。
【００４１】
＊＊＊＊＊＊＊＊＊＊＊＊＊＊＊＊＊＊＊＊＊＊＊＊＊＊＊＊＊＊＊＊＊＊＊＊＊＊
(1)   いま、あなたが不快感をもっている相手を１人だけ特定し、あなたとその相手が登場するシーンを思い浮かべ、そのシーンにタイトルをつけて「第１欄」の「シーン名」の部分に記入して下さい。
(2)   上記シーンの様子を「第２欄」の「シーンの図示」の空白部分に簡単な図として描いて下さい。
(3)   「第３欄」の「あなた自身『        』」の部分に、あなた自身のお名前を記入してください。そして、その下のリストに列挙されている感情の中から、「第２欄」に描いたシーンにおいてあなたが抱いた感情に丸印をつけてください（複数可）。そして、その中で最も強い感情に二重丸をつけ、上記シーンにおいて経験した二重丸の感情を、心の中で再現してみてください。
(4)   「第４欄」の「相手への期待」の部分に、上記シーンにおいて、相手に期待すること（相手にはどうして欲しかったか）を記入して下さい。
(5)   「第５欄」の「期待の意図」の部分に、「第４欄」に記入した「相手への期待」の意図（なぜ、そのような期待をもったか、その期待が叶ったら何が得られるか）を記入して下さい。
(6)   「第６欄」の「相手『        』」の部分に、相手のお名前（ニックネームやイニシャルでも可）を記入してください。そして、その下のリストに列挙されている感情の中から、「第２欄」に描いたシーンにおいて相手が抱いていたと思われる感情に丸印をつけてください（複数可）。そして、その中で最も強い感情に二重丸をつけ、上記シーンにおいて相手が経験したと思われる二重丸の感情を、あなたが相手の立場に立って心の中で再現してみてください。
(7)   「第７欄」の「自己への期待」の部分に、上記シーンにおいて、相手があなたに期待すること（相手は、あなたにどうして欲しかったか）を記入して下さい。
(8)   「第８欄」の「期待の意図」の部分に、「第７欄」に記入した「自己への期待」の意図（相手は、なぜ、そのような期待をもったか、その期待が叶ったら、相手には何が得られるか）を記入して下さい。
(9)   「第２欄」に描いたシーンに全く利害関係のない第三者が居たと仮定して、この第三者を「第２欄」の絵に追加して下さい。そして、「第９欄」の「第三者『        』さんのコメント」の部分に、上記第三者のお名前を記入して、この第三者が、このシーンを客観的に眺めていたら、どんなコメントをするかを想定して記入して下さい。また、この第三者が、「第４欄」，「第７欄」の期待や、「第５欄」，「第８欄」の意図を認識していたとしたら、どのようなコメントをするかも想定して記入して下さい。
＊＊＊＊＊＊＊＊＊＊＊＊＊＊＊＊＊＊＊＊＊＊＊＊＊＊＊＊＊＊＊＊＊＊＊＊＊＊
【００４２】
もちろん、上記(1) 〜(9) の指示文言は、ほんの一例を示すものであり、同趣旨の指示であれば、どのような文言による指示でもかまわない。また、指示は、施術者が患者に対して口頭で伝えるようにしてもよいし、別に手渡す作業説明書に記載しておくようにしてもよい。後者の場合、患者は、作業説明書を読みながら、治療用シート１００への記入作業を進めてゆくことになる。
【００４３】
なお、図２に示す実施例では、感情リストとして９種類の感情を示す単語が記載されたリストを示したが、実用上は、より多数の感情を掲載しておくのが好ましい。たとえば、後述する図１２〜図１４に示す実施例では、３２種類の感情を示す単語を掲載した感情リストが用いられている。また、必要に応じて、患者には、リストに掲載されていない感情を手書きで追加してもらうようにしてもかまわない。
【００４４】
＜＜＜  §３．精神疾患の治療用シートの使用効果  ＞＞＞
本発明に係る治療方法の特徴は、治療用シート１００への記入を、すべて患者自身が行う点である。すなわち、相手情報記入エリア１３０には、相手に関する情報が記入されることになるが、実際には、相手が記入するわけではなく、あくまでも患者自身が、相手の立場に立って、相手の気持ちを記入することになる。同様に、第三者コメントエリア１５０には、第三者のコメントが記入されることになるが、実際には、第三者が記入するわけではなく、あくまでも患者自身が、第三者の立場に立って、第三者としての客観的なコメントを記入することになる。
【００４５】
そもそも、人間関係に関連した精神疾患は、相手の立場に立った思考や、客観的な第三者の立場に立った思考を行い、相手に対する「受容」の気持ちを高めることにより、改善されるものと考えられている。本発明に係る治療用シートは、このような観点に基づく治療を行う上で、非常に有益な道具として機能する。
【００４６】
本発明に係る治療用シートの第１の特徴は、図描画エリア１４０を設けた点にある。一般に、対人関係についての悩みは、自己と相手に共通する特定の経験に根ざしていることが多く、患者の脳裏には、当該経験が不快なシーンとして刻み込まれている。別言すれば、このような不快なシーンに対する不快感を払拭することができれば、精神疾患の症状に対する根本的な改善が期待できる。本発明に係る治療用シートを利用すれば、図描画エリア１４０に不快なシーンを図として描かせることにより、当該シーン図に描かれている事実を、自分の立場、相手の立場、そして第三者の立場から再検証するきっかけを作ることができる。
【００４７】
本発明に係る治療用シートの第２の特徴は、自己の気持ちに関する情報を記入するための自己情報記入エリア１２０と、相手の気持ちに関する情報を記入するための相手情報記入エリア１３０とを、図描画エリア１４０と同じシート上に設けた点にある。患者は、図描画エリア１４０に描かれた図を見ながら、特定のシーンを頭に思い浮かべ、そのときの自己の気持ちに関する情報を自己情報記入エリア１２０に記入し、そのときの相手の気持ちに関する情報を想像して、相手情報記入エリア１３０に記入することができる。
【００４８】
具体的には、当該シーンにおいて自己が抱いた感情を自己感情記入欄１２１に記入し、相手が抱いたと想像される感情を相手感情記入欄１３１に記入することができる。しかも、これらの感情の記入は、感情を示す単語を複数列挙した感情リストからの選択という簡単な作業によって行うことができる。特に、図２に示す実施例のように、自己感情記入欄１２１および相手感情記入欄１３１に、罫線で囲まれた複数のセルにそれぞれ感情を示す異なる単語が記載された同一の感情リストを配置するようにすれば、患者の選択作業は、丸印の付与という簡単な作業で済む。
【００４９】
また、図２に示す実施例のように、自己から相手に伝えたいメッセージを記入するための自己メッセージ記入欄１２２を設け、相手への期待やその意図を記入させるようにし、相手から自己に伝えたいメッセージを記入するための相手メッセージ記入欄１３２を設け、相手の自己に対する期待やその意図を記入させるようにすれば、自己や相手の感情だけでなく、期待やその意図についても検証することができる。
【００５０】
このように、本発明に係る治療用シートを用いれば、精神疾患の症状に対する根本原因となる特定のシーンに関して、自己の立場から自己の気持ちを再考した後、相手の立場から相手の気持ちを推考することができ、相手に対する「受容」の気持ちを高めることが可能になる。
【００５１】
そして、本発明に係る治療用シートの第３の特徴は、第三者のコメントを記入するための第三者コメントエリア１５０を、図描画エリア１４０と同じシート上に設けた点にある。患者は、図描画エリア１４０に描かれた図を見ながら、特定のシーンを頭に思い浮かべ、当該シーンを、利害関係のない第三者の客観的な目を通して見た場合に、第三者であれば、どのようなコメントを行うかを想像して、第三者のコメントを第三者コメントエリア１５０に記入することができる。このような客観的なコメントに接することにより、相手に対する「受容」の気持ちを更に高めることが可能になる。
【００５２】
なお、図２に示す実施例の場合、上記３つの特徴をより効果的に機能させるための工夫が施されている。すなわち、図１に示すように、シート１００を縦方向に貫く中心線Ｃを定義したときに、自己情報記入エリア１２０は中心線Ｃよりも左側に配置され、相手情報記入エリア１３０は中心線Ｃよりも右側に配置されている。一方、図描画エリア１４０および第三者コメントエリア１５０は中心線Ｃを跨いで、中心線Ｃが中心となるように配置されている。その結果、図１に示す各エリアの構成および配置は、中心線Ｃに関して線対称になっている。
【００５３】
このような配置は、自己と相手との関係を客観的に見る上で重要である。すなわち、中心線Ｃを挟んで、左側に自己情報記入エリア１２０が配置され、右側に相手情報記入エリア１３０が配置されており、両者は線対称のエリアになっているため、患者には、自己と相手とが対等な関係にあることを暗示することができる。すなわち、患者は、図描画エリア１４０に描かれたシーンにおいて、自己が特定の感情を抱き、自己が相手に対して特定の期待を抱くのと全く同様に、相手も特定の感情を抱き、相手が自己に対して特定の期待を抱くことを、直感的に把握できる。
【００５４】
また、図描画エリア１４０が左右に偏在しない中央に配置されていることにより、患者は、そこに描かれたシーンが、自己にとっても相手にとっても対等な経験であることを直感的に把握できる。同様に、第三者コメントエリア１５０が左右に偏在しない中央に配置されていることにより、患者は、そこに記入されたコメントが、自己にとっても相手にとっても対等なコメントであることを直感的に把握できる
【００５５】
なお、この治療用シート１００に対する記入作業を行う場合、各エリアに対する記入順序は非常に重要である。すなわち、最大限の治療効果を得るためには、上述したとおり、まず、図描画エリア１４０にシーンの図を描かせ、続いて、シーン図を参照させながら自己情報記入エリア１２０に自己感情および期待等を記入させ、その後で、シーン図を参照させながら相手情報記入エリア１３０に相手感情および期待等を記入させ、最後に、シーン図を参照させながら第三者コメントエリアに第三者コメントを記入させる、という順序で、各エリアへの記入が行われるようにするのが好ましい。
【００５６】
そこで、図２に示す治療用シート１００では、「第１欄：シート種別表示エリア」，「第２欄：図描画エリア」，「第３欄：自己感情記入欄」，「第４欄：自己メッセージ記入欄（相手への期待）」，「第５欄：自己メッセージ記入欄（期待の意図）」，「第６欄：相手感情記入欄」，「第７欄：相手メッセージ記入欄（自己への期待）」，「第８欄：相手メッセージ記入欄（期待の意図）」，「第９欄：第三者コメントエリア」の順序で記入を行うことを示すための記入順序符号（図の例の場合は、丸数字１〜９）を、各エリアもしくは各欄に記載するようにしている。患者は、この丸数字１〜９の順序で記入を行えばよい。
【００５７】
＜＜＜  §４．精神疾患の治療用具の基本構成  ＞＞＞
これまで、§１〜§３において、本発明に係る精神疾患の治療用シート１００についての説明を行ってきた。この治療用シート１００は、単独で使用してもある程度の治療効果が得られるものであるが、実用上は、以下に説明するように、３組の治療用シートを組み合わせて用いるのが好ましい。本願では、この３組の治療用シートを組み合わせたものを「治療用具」と呼ぶことにする。
【００５８】
図３は、図２に示す治療用シート１００を含む精神疾患の治療用具の構成を示す図である。図示のとおり、ここに示す治療用具は、第１の治療用シート１００，第２の治療用シート２００，第３の治療用シート３００，総括用シート４００という４枚のシートと、作業説明書５００によって構成されている。
【００５９】
第１の治療用シート１００は、§１で述べた治療用シート１００（図２参照）と全く同じシートである。第２の治療用シート２００および第３の治療用シート３００は、治療用シート１００の一部の文言を若干変更したシートであり、総括用シート４００は、記入作業の最後に、まとめとして記入するシートである。また、作業説明書５００は、これら各シートの各欄への記入作業を行う際の指示を記載した小冊子である。以下、これら各構成要素について、個別の説明を行う。
【００６０】
図４は、図３に示す精神疾患の治療用具の構成要素となる第１の治療用シート１００の平面図である。上述したとおり、この図４に示す第１の治療用シート１００は、図２に示す治療用シート１００と全く同じシートであり、ここでは、各欄についての詳しい説明は省略する。
【００６１】
図示のとおり、シート種別表示エリア１１０（丸数字１が記載された「第１欄」）の右端には、「ワークシート１」なる記号が表示されているが、これは４枚のシートを区別するためのシート種別記号であり、この第１の治療用シート１００が、第１番目の記入対象となるシートであることを示すものである。なお、図２では、説明の便宜上、治療用シート１００の各エリアの境界が太線で示されているが。実際には、図４に示すように、各エリアの境界や各欄の境界線は、すべて同じ線でかまわない。
【００６２】
図５は、図３に示す精神疾患の治療用具の構成要素となる第２の治療用シート２００の平面図である。図４に示す第１の治療用シート１００と同様に、図５に示す第２の治療用シート２００は、シート種別表示エリア２１０、自己情報記入エリア２２０、相手情報記入エリア２３０、図描画エリア２４０、第三者コメントエリア２５０の５つのエリアによって構成されており、自己情報記入エリア２２０には、自己感情記入欄２２１と自己メッセージ記入欄２２２とが設けられ、相手情報記入エリア２３０には、相手感情記入欄２３１と相手メッセージ記入欄２３２とが設けられている（図１のエリア構成参照）。
【００６３】
この図５に示す第２の治療用シート２００と図４に示す第１の治療用シート１００との相違点は、次のとおりである。まず、シート種別表示エリア２１０の右端には、「ワークシート２」なる記号が表示されている。これは４枚のシートを区別するためのシート種別記号であり、この第２の治療用シート２００が、第２番目の記入対象となるシートであることを示すものである。また、シート種別表示エリア２１０の左側には、「前頁の感情・期待・意図を相互に伝えた想定で記入」なる説明文が記載されている。そして、図描画エリア２４０に、「相互に伝えた後のシーン図示」なる説明文が記載されている。更に、第三者コメントエリア２５０に、「両者が感情・期待・意図を再度伝えた後の第三者『        』さんのコメント」なる説明文が記載されている。以上の４点を除いて、図５に示す第２の治療用シート２００の内容は、図４に示す第１の治療用シート１００の内容と同じである。
【００６４】
要するに、第２の治療用シート２００には、第１の治療用シート１００の自己情報記入エリア１２０（図４において丸数字３，４，５が記載された「第３，４，５欄」）に記入された内容が相手に伝えられ、第１の治療用シート１００の相手情報記入エリア１３０（図４において丸数字６，７，８が記載された「第６，７，８欄」）に記入された内容が自己に伝えられたという想定で、当該第２の治療用シート２００への記入を行う旨の指示が記載されていることになる。
【００６５】
図６は、図３に示す精神疾患の治療用具の構成要素となる第３の治療用シート３００の平面図である。図４に示す第１の治療用シート１００と同様に、図６に示す第３の治療用シート３００は、シート種別表示エリア３１０、自己情報記入エリア３２０、相手情報記入エリア３３０、図描画エリア３４０、第三者コメントエリア３５０の５つのエリアによって構成されており、自己情報記入エリア３２０には、自己感情記入欄３２１と自己メッセージ記入欄３２２とが設けられ、相手情報記入エリア３３０には、相手感情記入欄３３１と相手メッセージ記入欄３３２とが設けられている（図１のエリア構成参照）。また、この第３の治療用シート３００に固有の特徴として、第三者コメントエリア３５０には、特定人物欄３５１と一般第三者欄３５２とが設けられている。
【００６６】
この図６に示す第３の治療用シート３００の構成は、次のとおりである。まず、シート種別表示エリア３１０の右端には、「ワークシート３」なる記号が表示されている。これは４枚のシートを区別するためのシート種別記号であり、この第３の治療用シート３００が、第３番目の記入対象となるシートであることを示すものである。
【００６７】
この第３の治療用シート３００の大きな特徴は、各エリアや各欄への記入順序が変更されている点である。このため、各エリアや各欄に丸数字として記載された記入順序符号が大幅に変更されている。具体的には、図４に示す第１の治療用シート１００および図５に示す第２の治療用シート２００の場合、図描画エリア（丸数字２）、自己感情記入欄（丸数字３）、自己メッセージ記入欄（丸数字４，５）、相手感情記入欄（丸数字６）、相手メッセージ記入欄（丸数字７，８）、第三者コメントエリア（丸数字９）の順序で記入を行うことを示すための記入順序符号（上記各丸数字）が各エリアもしくは各欄に記載されている。
【００６８】
これに対して、図６に示す第３の治療用シート３００の場合、図描画エリア（丸数字１）、特定人物欄（丸数字２，３）、自己感情記入欄（丸数字４）、自己メッセージ記入欄（丸数字５，６）、相手感情記入欄（丸数字７）、相手メッセージ記入欄（丸数字８，９）、一般第三者欄（丸数字１０）の順序で記入を行うことを示すための記入順序符号（上記各丸数字）が各エリアもしくは各欄に記載されている。以下、各部分を上記記入順（丸数字の順）に説明する。
【００６９】
はじめに、シート種別表示エリア３１０の左側には、「丸数字１の絵へ」との説明文が記載されており、「丸数字１」が記載された図描画エリア３４０には、「前頁の感情・期待・意図を相互に伝えた後のシーンを想像して描く」なる説明文が記載されている。そして、特定人物欄３５１には、「丸数字２」に続く「特定人物『        』の感情」なる説明文と「丸数字３」に続く「特定人物のアドバイス」なる説明文とが記載されている。
【００７０】
また、自己感情記入欄３２１には、「丸数字４」に続いて「アドバイス後のあなたの感情」なる説明文が記載されており、その下には、９種類の感情を選択するための感情リストが配置されている。自己メッセージ記入欄３２２には、「丸数字５」に続く「頭の中の声」なる説明文と「丸数字６」に続く「相手に伝えたいこと」なる説明文が記載されている。一方、相手感情記入欄３３１には、「丸数字７」に続いて「あなたの発言を聴いた後の相手の感情」なる説明文が記載されており、その下には、９種類の感情を選択するための感情リストが配置されている。相手メッセージ記入欄３３２には、「丸数字８」に続く「頭の中の声」なる説明文と「丸数字９」に続く「相手に伝えたいこと」なる説明文が記載されている。
【００７１】
最後に、一般第三者欄３５０には、「丸数字１０」に続いて、「第三者『        』さんのコメント」なる説明文が記載されている。
【００７２】
要するに、第３の治療用シート３００には、第２の治療用シート２００の自己情報記入エリア２２０（図５において丸数字３，４，５が記載された「第３，４，５欄」）に記入された内容が相手に伝えられ、第２の治療用シート２００の相手情報記入エリア２３０（図５において丸数字６，７，８が記載された「第６，７，８欄」）に記入された内容が自己に伝えられたという想定で、当該第３の治療用シート３００への記入を行う旨の指示が記載されていることになる。
【００７３】
図７は、図３に示す精神疾患の治療用具の構成要素となる総括用シート４００の平面図である。図示のとおり、この総括用シート４００には、シート種別表示エリア４１０と総括質問エリア４９０が設けられている。シート種別表示エリア４１０の右端には、「ワークシート４」なる記号が表示されている。これは４枚のシートを区別するためのシート種別記号であり、この総括用シート４００が、第４番目の記入対象となるシートであることを示すものである。
【００７４】
一方、総括質問エリア４９０には、第１〜第３の治療用シート１００，２００，３００の記入内容の変遷を振り返ったときの感想を記入する旨の指示が記載されている。図示の例の場合、４つの質問が列挙されているが、その質問の前に「ワークシート１〜３の記載内容を振り返って記入して下さい。」との指示が記載されており、各質問に対する回答は、いずれも、第１〜第３の治療用シートの記入内容の変遷を振り返ったときの感想を求める内容になっている。
【００７５】
図３に示す精神疾患の治療用具の構成要素となる作業説明書５００は、上述した第１〜第３の治療用シート１００，２００，３００および総括用シート４００に対する記入作業を行う上での指示を記載したものである。この作業説明書５００に記載すべき具体的な指示内容については、§５で説明する。なお、このような指示を施術者が患者に対して口頭で伝える場合は、作業説明書５００は不要である。ただ、教室などに集めた多数の患者に対して、同時進行で記入作業を行わせる場合には、個々の患者ごとに、記入作業に要する時間が異なるため、口頭による指示を与える形式ではなく、作業説明書５００を配布して、各自が作業説明書５００を読みながら作業を進める形式をとるのが好ましい。
【００７６】
なお、本発明に係る精神疾患の治療用具は、上述した第１〜第３の治療用シート１００，２００，３００のみによって構成し、総括用シート４００を省略する構成にしてもかまわない。ただ、実用上は、最後のまとめを記入させるために、総括用シート４００を用意しておくのが好ましい。
【００７７】
＜＜＜  §５．精神疾患の治療用具の使用方法および効果  ＞＞＞
続いて、図３に示す治療用具の具体的な使用方法および効果、すなわち、当該シートを用いた具体的な治療方法の手順とその効果を説明する。はじめに、当該治療用具（第１〜第３の治療用シート１００，２００，３００および総括用シート４００、ならびに、作業説明書５００）を患者に手渡し、作業説明書５００に記載された指示にしたがって、各シートの各欄に順次記入を行うように指示する。もちろん、作業説明書５００を用いる代わりに、施術者が患者に対して口頭で指示を伝えるようにしてもよい。以下、患者に与える具体的な指示の内容を要点だけ説明する。
【００７８】
まず、全体的な作業手順として、第１の治療用シート１００、第２の治療用シート２００、第３の治療用シート３００、総括用シート４００の順番に記入を行い、必要に応じて、記入済みのシートの内容を適宜参照して振り返る旨の指示を与える。
【００７９】
続いて、図４に示す第１の治療用シート１００の丸数字１〜９が付された「第１欄」〜「第９欄」に、それぞれ必要事項を記入するよう指示する。具体的な指示内容は、既に§２で説明したとおりである。図８は、図４に示す第１の治療用シート１００に対して患者が記入作業を完了した状態を示す平面図である。
【００８０】
図示の例の場合、「第１欄」にシーン名として「業務報告」なる名称が記入されており、「第２欄」に患者が上司に業務報告をしている場面の絵が記入されている。これは、患者が不快感をもっている相手として上司を選び、両者が登場するシーンとして、「業務報告」のシーンを思い浮かべたことを示している。「第３欄」には患者自身の名前「Ｍｒ．Ｘ」が記入され、感情リストの欄には「怒り」と「憎悪」に丸印がつけられており、「怒り」は二重丸になっている。そして、「第４欄」には「相手への期待」として「正しい評価を」との記入がなされ、「第５欄」には「期待の意図」として「業務環境の改善」との記入がなされている。これは、「第２欄」に描いたシーンに関して、患者自身が現在抱いている感情と、相手に対して伝えたいメッセージを表現したものになる。
【００８１】
一方、「第６欄」には相手（患者の上司）の名前「Ｍｒ．Ｙ」が記入され、感情リストの欄には「失望」と「軽蔑」に丸印がつけられており、「失望」は二重丸になっている。そして、「第７欄」には「自己への期待」として「営業努力」との記入がなされ、「第８欄」には「期待の意図」として「実績改善」との記入がなされている。これは、「第２欄」に描いたシーンに関して、相手が抱いているであろうと想像される感情と、相手が自分に対して伝えたいと考えているであろうメッセージを表現したものになる。
【００８２】
もちろん、この「第６欄」，「第７欄」，「第８欄」に記入した内容は、相手（Ｍｒ．Ｙ）が実際に抱いている本当の気持ちを示しているものではなく、あくまでも、患者自身（Ｍｒ．Ｘ）による想像における相手の気持ちになる。本発明に係る治療法の根源は、患者自身に相手の気持ちを思いやる行動を誘発させる点にあり、「第２欄」に記入したシーンを思い浮かべながら、「第３欄」，「第４欄」，「第５欄」に自己の気持ちを記入させた上で、今度は、相手の立場に立って、やはり「第２欄」に記入したシーンを思い浮かべ、相手が抱く気持ちを想像しながら、「第６欄」，「第７欄」，「第８欄」に記入させることは非常に重要である。
【００８３】
特に、ここに示す実施例の場合、中央に配置された図描画エリア１４０に描かれた図を見ながら、左側の自己情報記入エリアに、自己の立場から見た自己の気持ちを記入し、続いて、右側の相手情報記入エリアに、相手の立場から見た相手の気持ちを想像して記入する作業を行うことになる。しかも、左側の自己情報記入エリアと右側の相手情報記入エリアとは左右対称になっているため、自己と相手とを対等な人間として捉え、自分サイドの見方と相手サイドの見方とを、できるだけ中立的な立場に立って客観的に把握するきっかけを与える効果が得られる。
【００８４】
そして、最後の「第９欄」には、第三者の名前「Ｍｒ．Ｚ」が記入され、当該第三者のコメントとして「相互に相手を理解する努力を」との記入がなされている。ここで、第三者「Ｍｒ．Ｚ」は、「第２欄」に描いたシーンに全く利害関係のない者として、患者自身が想定した人物であり、たとえば、患者自身の会社の同僚などを「Ｍｒ．Ｚ」として設定することができる。そして、「第９欄」には、もし当該第三者が、このシーンに居合わせたと仮定した場合に、どのようなコメントをするかが記入される。
【００８５】
もちろん、この「第９欄」に記入した内容は、当該第三者（Ｍｒ．Ｚ）による実際のコメントではなく、あくまでも、患者自身（Ｍｒ．Ｘ）による想像における第三者のコメントになるが、当該コメントを記入させることによって、患者は、第三者の視点に立って、「第２欄」に描いたシーンを評価することができる。通常、心因性の精神疾患は、患者が自分自身の視野で、物事を主観的に観察しているために生じることが多い。「第９欄」への記入作業は、患者に対して、第三者の視野で、物事を客観的に観察するきっかけを与えることができ、心因性の精神疾患の改善には非常に効果的である。
【００８６】
特に、ここに示す実施例の場合、「第９欄」の第三者コメントエリアは、「第２欄」の図描画エリアと同様に左右に跨った位置に配置されているため、患者は、描かれたシーンも、「第９欄」に記入された第三者コメントも、自己および相手に対して対等なものとして把握することができ、第三者コメントを両者に対等なコメントとして受け入れることができる。
【００８７】
こうして、第１の治療用シート１００への記入作業が完了すると、続いて、図５に示す第２の治療用シート２００への記入を行うよう指示がなされる。§４で説明したとおり、第２の治療用シート２００の各欄の構成は、実質的には第１の治療用シート１００の各欄の構成と同じである。したがって、各欄への記入指示も、基本的には、第１の治療用シート１００への記入指示と同じでよい。
【００８８】
ただ、第２の治療用シート２００には、第１の治療用シート１００の自己情報記入エリア１２０に記入された内容が相手に伝えられるとともに、第１の治療用シート１００の相手情報記入エリア１３０に記入された内容が自己に伝えられたという想定で、当該第２の治療用シート２００への記入を行う旨の指示が記載されている。具体的には、図５に示す第２の治療用シート２００の場合、シート種別表示エリア２１０の左側に「前頁の感情・期待・意図を相互に伝えた想定で記入」なる説明文が記載されている。また、図描画エリア２４０には「相互に伝えた後のシーン図示」なる説明文が記載されており、第三者コメントエリア２５０には「両者が感情・期待・意図を再度伝えた後の第三者『        』さんのコメント」なる説明文が記載されている
【００８９】
したがって、この第２の治療用シート２００への記入を行うにあたり、口頭もしくは作業説明書５００によって患者に伝達する指示には、記入要領は、第１の治療用シート１００の記入要領と同じであるが、第１の治療用シート１００の自己情報記入エリア１２０に記入した内容を相手に伝え、逆に、相手情報記入エリア１３０に記入された内容が自己に伝えられたという前提で、自己および相手に起こるべき心境の変化を考慮した上で、第２の治療用シート２００への記入を行う旨を明確にしておくようにする。
【００９０】
図９は、図５に示す第２の治療用シート２００に対して患者が記入作業を完了した状態を示す平面図である。上述したとおり、この第２の治療用シート２００については、図８に示す記入済の第１の治療用シート１００における「第３欄」，「第４欄」，「第５欄」の内容を相手に伝え、更に、図８に示す記入済の第１の治療用シート１００における「第６欄」，「第７欄」，「第８欄」の内容が相手から自己に伝えられたと想定した上で、各欄へ記入が行われることになる。通常、両者で実際に感情、期待、意図を言い合うと、心象の変化が生じる。ここでは、実際に言い合いが行われるわけではないが、患者の内心において、言い合った後の状態が想像されることになる。したがって、患者ごとに個人差はあるものの、通常は、第１の治療用シート１００の記入内容と第２の治療用シート２００の記入内容との間に、何らかの変化が生じることになる。
【００９１】
図９に示す実施例の場合、図描画エリアに描かれたシーンの図には若干の変化が見られる。また、自己情報記入エリアには、感情として「失望」、相手への期待として「時間的猶予」、期待の意図として「営業結果に期待あり」との記入がなされ、相手情報記入エリアには、感情として「心配」、自己への期待として「方針改善」、期待の意図として「時間節約」との記入がなされており、やはり若干の変化が見られる。更に、第三者コメントエリアには「歩み寄り」との記入がなされており、やはり若干の変化が見られる。これは、患者の内心に何らかの変化が生じたためであり、精神疾患が改善している兆候を示すものである。
【００９２】
こうして、第２の治療用シート２００への記入作業が完了すると、続いて、図６に示す第３の治療用シート３００への記入を行うよう指示がなされる。§４で説明したとおり、第３の治療用シート３００の各欄の構成は、第１の治療用シート１００や第２の治療用シート２００の各欄の構成と比べて、大きな相違はないが、新たに特定人物欄３５１が設けられたり、各欄の記入順序が異なったりする点が相違する。
【００９３】
また、第３の治療用シート３００には、第２の治療用シート２００の自己情報記入エリア２２０に記入された内容が相手に伝えられるとともに、第２の治療用シート２００の相手情報記入エリア２３０に記入された内容が自己に伝えられたという想定で、当該第３の治療用シート３００への記入を行う旨の指示が記載されている。具体的には、図６に示す第３の治療用シート３００の場合、図描画エリア３４０に「前頁の感情・期待・意図を相互に伝えた後のシーンを想像して描く」なる説明文が記載されている。
【００９４】
したがって、この第３の治療用シート３００への記入を行うにあたり、口頭もしくは作業説明書５００によって患者に伝達する指示には、記入要領は、基本的には、これまでの各治療用シート１００，２００の記入要領と同じであるが、第２の治療用シート２００の自己情報記入エリア２２０に記入した内容を相手に伝え、逆に、相手情報記入エリア２３０に記入された内容が自己に伝えられたという前提で、自己および相手に起こるべき心境の変化を考慮した上で、第３の治療用シート３００への記入を行う旨を明確にしておくようにする。
【００９５】
図１０は、図６に示す第３の治療用シート３００に対して患者が記入作業を完了した状態を示す平面図である。上述したとおり、この第３の治療用シート３００については、図９に示す記入済の第２の治療用シート２００における「第３欄」，「第４欄」，「第５欄」の内容を相手に伝え、更に、図９に示す記入済の第２の治療用シート２００における「第６欄」，「第７欄」，「第８欄」の内容が相手から自己に伝えられたと想定した上で、各欄へ記入が行われることになる。上述したとおり、両者での言い合いは、それが仮想的なものであっても心象の変化を誘発するため、通常は、第２の治療用シート２００の記入内容と第３の治療用シート３００の記入内容との間には、何らかの変化が生じる。しかも、第３の治療用シート３００の場合、特定人物欄にアドバイスの記入も行われているため、心象の変化をより誘発しやすい。
【００９６】
図１０に示す実施例の場合、「第１欄」に描かれたシーンの図には更に変化が見られる。また、「第２欄」には、特定人物として「Ｍｒ．Ｓ」が記入され、この特定人物の感情として「満足」との記入がなされている。また、「第３欄」には、この特定人物のアドバイスとして「密接なコミュニケーション」との記入がなされている。
【００９７】
ここで、「特定人物」はこれまでの一般第三者「Ｍｒ．Ｚ」と同様に、自己および相手以外の第三者であることに違いはないが、これまでの一般第三者「Ｍｒ．Ｚ」が、「第１欄」に描かれたシーンに居たであろうと想定される人物であるのに対して、第３の治療用シート３００で初めて登場する「特定人物」は、このシーンの場にいてくれると良さそうに思える「愛にあふれた人物」という設定である。
【００９８】
したがって、第３の治療用シート３００の「第２欄」および「第３欄」の記入にあたっての指示としては、たとえば、次のような文言を用いるのが好ましい。「これまでの第三者とは別に、このシーンの場にいてくれると良さそうに思える『愛にあふれた人物』を想定してみて下さい。あなたが実際に会った人である必要はなく、また、実在の人物である必要もありません。歴史上の偉人、ドラマの主人公、漫画等の架空のキャラクターでもかまいません。そのような特定人物を想定したら、その特定人物の名前を記入し、その特定人物が図示したシーンを見たときの感情と、その特定人物からのあなたへのアドバイスを想像して記入してみて下さい。」
【００９９】
続く「第４欄」には、「アドバイス後のあなたの感情」との説明文が記載されており、上記アドバイスを聴いた後の自己の気持ちを記入するよう指示されている。図示の例の場合、「第４欄」には感情として「心配」と「寂しさ」に丸印がつけられており、「第５欄」には頭の中の声として「誠実な対応」との記入がなされ、「第６欄」には相手に伝えたいこととして「一層の努力」との記入がなされている。ここで、「第５欄」の「頭の中の声」に記入してもらう事項は、これまでのシートにおける「相手への期待」に記入してもらう事項とほぼ同じであり、「第６欄」の「相手に伝えたいこと」に記入してもらう事項は、これまでのシートにおける「期待の意図」に記入してもらう事項とほぼ同じである。ただ、特定人物のアドバイスを聴いた後の気持ちとして、若干、表現を変えている。
【０１００】
したがって、第３の治療用シート３００の「第５欄」および「第６欄」の記入にあたっての指示としては、たとえば、次のような文言を用いるのが好ましい。「二重丸をつけた感情に十分に浸ってから、特定人物からのアドバイスを受け止め、そのときに頭に浮かんだ声を記入して下さい。また、このアドバイスを受け止めた上で、相手に伝えたいことを記入して下さい。」
【０１０１】
一方「第７欄」には、「あなたの発言を聴いた後の相手の感情」との説明文が記載されており、「第４欄」，「第５欄」，「第６欄」の内容を相手に伝えた後の相手の気持ちを想像して記入するよう指示されている。図示の例の場合、「第７欄」には感情として「喜び」に二重丸がつけられており、「第８欄」には頭の中の声として「信頼回復」との記入がなされ、「第９欄」には相手に伝えたいこととして「適切な評価」との記入がなされている。ここで、「第８欄」の「頭の中の声」に記入してもらう事項は、これまでのシートにおける「自己への期待」に記入してもらう事項とほぼ同じであり、「第９欄」の「相手（ここでは「相手にとっての相手」、すなわち、患者自身を指す）に伝えたいこと」に記入してもらう事項は、これまでのシートにおける「期待の意図」に記入してもらう事項とほぼ同じである。ただ、「第５欄」，「第６欄」に合わせて、同じ表現を用いている。
【０１０２】
したがって、第３の治療用シート３００の「第８欄」および「第９欄」の記入にあたっての指示としては、たとえば、次のような文言を用いるのが好ましい。「相手が、二重丸をつけた感情に十分に浸り、更に、第４欄，第５欄，第６欄に記入した事項をあなたから聴いたときに、相手の頭に浮かぶであろう声を想像して記入して下さい。また、相手があなたに伝えたいことを記入して下さい。」
【０１０３】
最後の「第１０欄」には、第三者「Ｍｒ．Ｚ」さんのコメントとして、「今後も協力」との記入がなされている。このように、ここに示す実施例の場合、図８に示す第１の治療用シート１００、図９に示す第２の治療用シート２００、図１０に示す第３の治療用シート３００の記入内容は、少しずつ変化してきている。前述したとおり、これは、患者の内心に何らかの変化が生じたためであり、精神疾患が改善している兆候を示すものである。
【０１０４】
こうして、第３の治療用シート３００への記入作業が完了すると、最後に、図７に示す総括用シート４００への記入を行うよう指示がなされる。§４で説明したとおり、この総括用シート４００の総括質問エリア４９０には、第１〜第３の治療用シート１００，２００，３００の記入内容の変遷を振り返ったときの感想を記入する旨の指示が記載されている。
【０１０５】
図示の実施例の場合、「第１欄」の「ワークシート１〜３における自己・相手の感情の変遷を見返した時、何を感じますか？」との設問に対して、「立場の違う人間だから仕方がない」との回答が記入されており、「第２欄」の「相手に対して、何を感じますか？相手への感情はどのように変化しましたか？」との設問に対して、「相手への怒りの気持ちはなくなった。」との回答が記入されている。また、「第３欄」の「特定人物のアドバイスに対し、どのように感じますか？」との設問に対して、「よりコミュニケーションを深めよう」との回答が記入されており、「第４欄」の「相手を受容することについて、どのように感じますか？」との設問に対して、「今後も、仕事を続けられそう」との回答が記入されている。
【０１０６】
このように、本発明に係る精神疾患の治療用具によれば、３組の治療用シートに順次記入する操作を行わせることができ、しかも、これら３組の治療用シートには、時系列的な順番が定められている。そして、前のシートに記入した内容が相手方に伝えられたものとして、次のシートへの記入が促されるため、相手に対する感情に変化を誘発させる効果が得られる。このように、本発明に係る精神疾患の治療用具は、患者の内心において、相手に対する気持ちの変化を生じさせることができ、精神疾患の改善を図ることができる。また、第４のシートとして総括用シート４００を用意して記入させれば、患者自身に３組の治療用シートに記入した内容の変遷を振り返らせることができ、より効果的な治療が可能になる。
【０１０７】
＜＜＜  §６．精神疾患の治療用具のより具体的な実施例  ＞＞＞
§４では、図４〜図７を参照して、本発明に係る精神疾患の治療用具を構成する３枚の治療用シート１００，２００，３００および総括用シート４００の基本構成を説明した。
【０１０８】
ここでは、これらの各シートについて、より具体的な実施例を図１２〜図１５として示しておく。図１２は、図４に示す第１の治療用シート１００のより具体的な実施例の一例を示す平面図であり、図１３は、図５に示す第２の治療用シート２００のより具体的な実施例の一例を示す平面図であり、図１４は、図６に示す第３の治療用シート３００のより具体的な実施例の一例を示す平面図である。また、図１５は、図７に示す総括用シート４００のより具体的な実施例の一例を示す平面図である。
【０１０９】
これら４枚の具体的な実施例は、本願発明者が特定の被験者に対して行った試験に実際に利用したシートであり、試験の結果、多数の被験者について、悩みの改善などの治癒効果が見られた。
【０１１０】
図１２〜図１５に示す各シートの基本構成は、図４〜図７に示す各シートの基本構成と同様であり、対応する記入欄には同一の丸数字を付してある。したがって、図１２〜図１５に示す各シートの具体的な構成の説明や使用方法についての説明は、ここでは省略する。
【０１１１】
＜＜＜  §７．精神疾患の治療装置の基本構成および動作  ＞＞＞
これまで、本発明の基本思想を、シートという物理的な印刷物として実現する実施例を述べてきた。ここでは、本発明の基本思想を、コンピュータを利用して実現する実施例を述べる。
【０１１２】
図１６は、本発明に係る精神疾患の治療装置６００の基本構成を示すブロック図である。この治療装置６００は、コンピュータの画面を利用して、患者からの入力を受け付け、その結果をコンピュータの画面に表示することにより、これまで述べてきた治療用シートや治療用具と同等の効果を、コンピュータの画面上で奏するためのものであり、自己と特定の相手との間の人間関係に関連した精神疾患の治療に用いることができる。
【０１１３】
図示のとおり、この治療装置６００は、治療を受けるユーザ（患者）からの指示操作を入力する指示入力ユニット６１０と、当該ユーザに対する提示情報をディスプレイ画面上に表示する情報表示ユニット６２０と、指示入力ユニット６１０が入力した指示操作に基づいて所定の提示情報を作成し、これを情報表示ユニット６２０に与える情報処理ユニット６３０と、を備えている。
【０１１４】
実際には、この治療装置６００は、コンピュータ（タブレットやスマートフォンなどの電子機器も含む）に所定のプログラムを組み込むことによって構成することができる。すなわち、指示入力ユニット６１０は、キーボード、マウス、タッチパネルなどのコンピュータ用入力機器によって構成することができ、情報表示ユニット６２０は、このコンピュータ用のディスプレイ装置によって構成することができる。また、情報処理ユニット６３０は、このコンピュータおよびそこにインストールされたアプリケーションプログラムの協働体として実現することができる。
【０１１５】
ここでは、説明の便宜上、情報処理ユニット６３０を、描画処理部６３１、自己感情選択部６３２、自己メッセージ入力部６３３、相手感情選択部６３４、相手メッセージ入力部６３５、第三者コメント入力部６３６、統括制御部６３７という７つの機能要素の集合体として把握した説明を行うが、実際には、この情報処理ユニット６３０は、コンピュータのハードウェアとソフトウェアとの協働体として実現されることになる。
【０１１６】
図１７は、情報表示ユニット６２０によって表示された第１の表示画面７１０を示す図である。この第１の表示画面７１０は、図４に示す第１の治療用シート１００に対応する画面であり、第１の治療用シート１００上に印刷されている情報を、ディスプレイ画面上に表示したものである。
【０１１７】
第１の表示画面７１０は、図示のとおり、表題パート７１１（シート種別表示エリア１１０に対応）、シーン図パート７１２（図描画エリア１４０に対応）、インストラクションパート７１３（この装置に固有のパート）、コマンドパート７１４（この装置に固有のパート）、自己感情パート７１５（自己感情記入欄１２１に対応）、相手感情パート７１６（相手感情記入欄１３１に対応）、自己メッセージパート７１７（自己メッセージ記入欄１２２に対応）、相手メッセージパート７１８（相手メッセージ記入欄１３２に対応）、第三者パート７１９（第三者コメントエリア１５０に対応）、感情リストパートＬの各パートを有している。
【０１１８】
インストラクションパート７１３は、ユーザの入力操作に対する指示を文字列として表示するためのパートであり、ユーザに対して次に行うべき指示が表示される。図示の例の場合、「シーン名を入力して下さい。」との指示が表示されている。これは、表題パート７１１の「シーン名」欄にシーン名の入力を促す指示である。このインストラクションパート７１３の表示は、ユーザが入力操作を行うたびに変遷してゆくことになる。
【０１１９】
一方、コマンドパート７１４は、ユーザに、固有のコマンドを入力させるためのパートである。具体的には、「線」，「円」，「矩形」と記されたボタンは、シーン図パート７１２に絵を描くためのツールを選択するためのボタンであり、ユーザは、シーン図として線画を描く際には「線」ボタンを押して「線ツール」を選択する操作を行い、円を描く際には「円」ボタンを押して「円ツール」を選択する操作を行い、矩形を描く際には「矩形」ボタンを押して「矩形ツール」を選択する操作を行えばよい。このような各ツールを用いた描画機能は、既に種々の描画プログラムで公知であるため、ここでは詳細な説明は省略する。
【０１２０】
その下の「取消」ボタンは、直前の操作を取り消すためのボタンであり、「完了」ボタンは、所定の操作が完了したことを指示するボタンである。また、左矢印ボタンは、表示を直前の頁に戻すボタンであり、右矢印ボタンは、表示を次の頁に送るボタンである。図示の例は、「ワークシート１」と記載された第１の治療用シート１００に相当する第１の表示画面（第１頁の画面）であるので、右矢印ボタンを押すと、後述する「ワークシート２」と記載された第２の治療用シート２００に相当する第２の表示画面（第２頁の画面）に移行することになり、左矢印ボタンを押すと、この前の頁（たとえば、初期説明頁）に移行することになる。このような種々の制御ボタンも、一般的なプログラムで公知であるため、ここでは詳細な説明は省略する。
【０１２１】
描画処理部６３１は、図２に示す第１の治療用シートにおける図描画エリア１４０の機能をディスプレイ画面上で実現する役割を果たす構成要素であり、情報表示ユニット６２０を利用して、ユーザに対して、自己と相手についての特定のシーンを示す図を描く旨の指示を与え、指示入力ユニット６１０から与えられるユーザの指示操作に基づいてシーン図を作成し、これをディスプレイ画面上に表示する処理を行う。
【０１２２】
図１８は、図１６に示す治療装置６００における描画処理部６３１による処理によってシーン図の入力が行われた状態を示す図である。具体的には、描画処理部６３１は、図１７のインストラクションパート７１３に表示されているように、「シーン名を入力して下さい。」との指示を提示し、ユーザが表題パート７１１の「シーン名」欄に「業務報告」なるシーン名を入力すると、図１８のインストラクションパート７１３に表示されているように「左の空欄にシーンを描いて下さい。」との指示を提示し、ユーザにシーン図を描かせる処理を行う。すなわち、描画処理部６３１は、ユーザが入力するコマンドやマウス操作などに応じて、図示のような絵を作成し、シーン図パート７１２に表示する処理を行う。図１８には、図８に示す例と同じシーン図が描かれた状態が示されている。
【０１２３】
自己感情選択部６３２は、ユーザが描いたシーン図を、ディスプレイ画面上のシーン図パート７１２に表示し、感情を示す単語を複数列挙した感情リストを、ディスプレイ画面上の感情リストパートＬに表示させた状態で、表示されたシーン図についてユーザ自身が抱く感情を、表示中の感情リストの中から選択する旨の指示をユーザに対して与えることにより、特定の感情を自己感情として選択させる処理を行う。
【０１２４】
図１９は、図１６に示す治療装置６００における自己感情選択部６３２による処理によって自己感情の入力が行われた状態を示す図である。具体的には、自己感情選択部６３２は、まず、インストラクションパート７１３に所定の指示を提示することにより、ユーザ自身の名前を自己感情パート７１５の空欄に入力させた後、図１９のインストラクションパート７１３に表示されているように、「あなたの感情を選択して下さい。」との指示を提示し、ユーザに感情リストパートＬに表示されている９つの感情の中から任意の感情を選択させる処理を実行する。
【０１２５】
感情の選択は、たとえば、感情リストの任意のセルをクリックさせる操作によって行わせることができる。また、自己感情パート７１５の空欄に文字入力を行わせることにより、リストにない任意の感情を入力させることもできる。図１９には、ユーザ（患者）の名前として「Ｍｒ．Ｘ」が入力され、感情として「怒り」と「憎悪」を選択させた例が示されている。
【０１２６】
自己メッセージ入力部６３３は、ユーザが描いたシーン図を、ディスプレイ画面上のシーン図パート７１２に表示し、ユーザが選択した自己感情を、ディスプレイ画面上の自己感情パート７１５に表示させた状態で、このシーン図について自己が相手に伝えたいメッセージを入力する旨の指示をユーザに対して与えることにより、特定のメッセージを自己メッセージとして入力する処理を行う。
【０１２７】
図２０は、図１６に示す治療装置６００における自己メッセージ入力部６３３による処理によって自己メッセージの入力が行われた状態を示す図である。具体的には、自己メッセージ入力部６３３は、インストラクションパート７１３に表示されているように、「あなたのメッセージを入力して下さい。」との指示を提示し、ユーザに対して、自己メッセージパート７１７の空欄に文字列を入力させる処理を行う。図２０には、期待として「正しい評価を」なる文字列が入力され、意図として「業務環境の改善」なる文字列が入力された例が示されている。
【０１２８】
一方、相手感情選択部６３４は、ユーザが描いたシーン図を、ディスプレイ画面上のシーン図パート７１２に表示し、感情を示す単語を複数列挙した感情リストを、ディスプレイ画面上の感情リストパートＬに表示させた状態で、表示されたシーン図について相手が抱くであろうと思われる感情を、表示中の感情リストの中から選択する旨の指示をユーザに対して与えることにより、特定の感情を相手感情として選択させる処理を行う。
【０１２９】
図２１は、図１６に示す治療装置６００における相手感情選択部６３４による処理によって相手感情の入力が行われた状態を示す図である。具体的には、相手感情選択部６３４は、まず、インストラクションパート７１３に所定の指示を提示することにより、相手の名前を相手感情パート７１６の空欄に入力させた後、図２１のインストラクションパート７１３に表示されているように、「相手の感情を選択して下さい。」との指示を提示し、ユーザに感情リストパートＬに表示されている９つの感情の中から任意の感情を選択させる処理を実行する。
【０１３０】
上述したとおり、感情の選択は、感情リストの任意のセルをクリックさせる操作で行わせることができるが、相手感情パート７１６の空欄に文字入力を行わせることにより、リストにない任意の感情を入力させるようにしてもよい。図２１には、相手の名前として「Ｍｒ．Ｙ」が入力され、感情として「軽蔑」と「失望」を選択させた例が示されている。
【０１３１】
相手メッセージ入力部６３５は、ユーザが描いたシーン図を、ディスプレイ画面上のシーン図パート７１２に表示させ、ユーザが選択した相手感情を、ディスプレイ画面上の相手感情パート７１６に表示させた状態で、このシーン図について相手が自己に伝えたいであろうと思われるメッセージを入力する旨の指示をユーザに対して与えることにより、特定のメッセージを相手メッセージとして入力する処理を行う。
【０１３２】
図２２は、図１６に示す治療装置６００における相手メッセージ入力部６３５による処理によって相手メッセージの入力が行われた状態を示す図である。具体的には、相手メッセージ入力部６３５は、インストラクションパート７１３に表示されているように、「相手のメッセージを入力して下さい。」との指示を提示し、ユーザに対して、相手メッセージパート７１８の空欄に文字列を入力させる処理を行う。図２２には、期待として「営業努力」なる文字列が入力され、意図として「実績改善」なる文字列が入力された例が示されている。
【０１３３】
第三者コメント入力部６３６は、ユーザが描いたシーン図を、ディスプレイ画面上のシーン図パート７１２に表示させ、ユーザが選択した自己感情を、ディスプレイ画面上の自己感情パート７１５に表示させ、ユーザが入力した自己メッセージを、ディスプレイ画面上の自己メッセージパート７１７に表示させ、ユーザが選択した相手感情を、ディスプレイ画面上の相手感情パート７１６に表示させ、ユーザが入力した相手メッセージを、ディスプレイ画面上の相手メッセージパート７１８に表示させた状態で、このシーン図に描かれているシーンに第三者が存在したと仮定した場合に、当該第三者が言及するであろうと思われるコメントを入力する旨の指示をユーザに対して与えることにより、特定のコメントを第三者コメントとして入力する処理を行う。
【０１３４】
図２３は、図１６に示す治療装置６００における第三者コメント入力部６３６による処理によって第三者コメントの入力が行われた状態を示す図である。具体的には、第三者コメント入力部６３６は、インストラクションパート７１３に表示されているように、「第三者のコメントを入力して下さい。」との指示を提示し、ユーザに対して、第三者パート７１９の空欄に文字列を入力させる処理を行う。図２３には、第三者の名前として「Ｍｒ．Ｚ」が入力され、第三者コメントとして「相互に相手を理解する努力を」なる文字列が入力された例が示されている。
【０１３５】
統括制御部６３７は、描画処理部６３１、自己感情選択部６３２、自己メッセージ入力部６３３、相手感情選択部６３４、相手メッセージ入力部６３５、第三者コメント入力部６３６が、所定の順序で順番に処理を行うように制御する役割を果たす。すなわち、上例の場合は、まず、描画処理部６３１に処理を実行させ、続いて、自己感情選択部６３２に処理を実行させ、以下同様に、自己メッセージ入力部６３３、相手感情選択部６３４、相手メッセージ入力部６３５、第三者コメント入力部６３６の順に処理を実行させる制御を行う。
【０１３６】
以上述べた処理は、§２で述べた治療用シート１００の使用方法に基づく処理であり、基本的には、図１７に示す第１の表示画面７１０に対する入力操作で完了する処理である。
【０１３７】
もちろん、図１６に示す治療装置６００を用いて、§５で述べた精神疾患の治療用具と同等の治療法を施すことも可能である。この場合は、描画処理部６３１、自己感情選択部６３２、自己メッセージ入力部６３３、相手感情選択部６３４、相手メッセージ入力部６３５、第三者コメント入力部６３６が、同一の表示画面（たとえば、図１７に示す第１の表示画面７１０）を利用してユーザからの指示操作を入力し、当該指示操作によって入力された情報を当該同一の表示画面に表示させる一巡の情報入力機能を果たすことができるようにしておき、統括制御部６３７によって、第１の表示画面７１０を利用した第１巡目の情報入力、第２の表示画面７２０を利用した第２巡目の情報入力、第３の表示画面７３０を利用した第３巡目の情報入力が順に行われるよう制御すればよい。
【０１３８】
ここで、第１の表示画面７１０は、図４に示す第１の治療用シート１００に対応する画面になるようにし、第２の表示画面７２０は、図５に示す第２の治療用シート２００に対応する画面になるようにし、第３の表示画面７３０は、図６に示す第３の治療用シート３００に対応する画面になるようにする。また、総括用シート４００に対応する画面として、第４の表示画面７４０を用いた総括用の情報入力を最後に行うようにしてもよい。
【０１３９】
図２４は、図１６に示す治療装置６００において、第２の表示画面７２０上で第２巡目の情報入力が行われている状態を示す図である。第２の表示画面７２０は、図５に示す第２の治療用シート２００に対応する画面であり、図示のとおり、表題パート７２１（シート種別表示エリア２１０に対応）、シーン図パート７２２（図描画エリア２４０に対応）、インストラクションパート７２３（この装置に固有のパート）、コマンドパート７２４（この装置に固有のパート）、自己感情パート７２５（自己感情記入欄２２１に対応）、相手感情パート７２６（相手感情記入欄２３１に対応）、自己メッセージパート７２７（自己メッセージ記入欄２２２に対応）、相手メッセージパート７２８（相手メッセージ記入欄２３２に対応）、第三者パート７２９（第三者コメントエリア２５０に対応）、感情リストパートＬの各パートを有している。
【０１４０】
これら各パートの内容および入力要領は、前述した第１の表示画面７１０の各パートの内容および入力要領と同様である。ただ、この第２の表示画面７２０上での入力を行うにあたり、第１の表示画面７１０の自己感情パート７１５および自己メッセージパート７１７に入力した内容を相手に伝え、逆に、第１の表示画面７１０の相手感情パート７１６および相手メッセージパート７１８に入力した内容が自己に伝えられたという前提で、自己および相手に起こるべき心境の変化を考慮した上で、第２の表示画面７２０上での入力を行う旨の指示を明確に与えるようにする。
【０１４１】
前述したとおり、コマンドパート７２４には、左右の矢印ボタンが設けられており、この矢印ボタンにより、表示画面を前頁へ戻したり、次頁に送ったりすることができるので、ユーザは、第１の表示画面７１０と第２の表示画面７２０とを適宜切り替えることができ、第１の表示画面７１０上での入力内容を確認することができる。図２４は、ユーザがこのような方法で、第２の表示画面７２０への入力操作を行っている途中（相手メッセージパート７２８への入力途中）の状態を示している（入力内容は、図９に示す例と同じである）。
【０１４２】
図２５は、図１６に示す治療装置６００において、第３の表示画面７３０上で第３巡目の情報入力が行われている状態を示す図である。第３の表示画面７３０は、図６に示す第３の治療用シート３００に対応する画面であり、図示のとおり、表題パート７３１（シート種別表示エリア３１０に対応）、シーン図パート７３２（図描画エリア３４０に対応）、インストラクションパート７３３（この装置に固有のパート）、コマンドパート７３４（この装置に固有のパート）、自己感情パート７３５（自己感情記入欄３２１に対応）、相手感情パート７３６（相手感情記入欄３３１に対応）、自己メッセージパート７３７（自己メッセージ記入欄３２２に対応）、相手メッセージパート７３８（相手メッセージ記入欄３３２に対応）、第三者パート７３９ａ，７３９ｂ（特定人物欄３５１，一般第三者欄３５２に対応）、感情リストパートＬの各パートを有している。
【０１４３】
これら各パートの内容および入力要領は、前述した第２の表示画面７２０の各パートの内容および入力要領とほぼ同じである。実際には、各欄の入力順序や、表題に若干の相違があるが、この点については、§５において、第３の治療用シート３００の構成および記入方法として既に説明済みであるので、ここでは説明は省略する。なお、この第３の表示画面７３０上での入力を行うにあたっては、第２の表示画面７２０の自己感情パート７２５および自己メッセージパート７２７に入力した内容を相手に伝え、逆に、第２の表示画面７２０の相手感情パート７２６および相手メッセージパート７２８に入力した内容が自己に伝えられたという前提で、自己および相手に起こるべき心境の変化を考慮した上で、第３の表示画面７３０上での入力を行う旨の指示を明確に与えるようにする。
【０１４４】
図示のとおり、コマンドパート７３４には、左右の矢印ボタンが設けられており、この矢印ボタンにより、表示画面を前頁へ戻したり、次頁に送ったりすることができるので、ユーザは、第２の表示画面７２０と第３の表示画面７３０とを適宜切り替えることができ、第２の表示画面７２０上での入力内容を確認することができる。図２５は、ユーザがこのような方法で、第３の表示画面７３０への入力操作を行っている途中（自己感情パート７３５への入力途中）の状態を示している（入力内容は、図１０に示す例と同じである）。
【０１４５】
図２６は、図１６に示す治療装置６００において、第４の表示画面７４０上で最後の総括情報入力を開始する状態を示す図である。第４の表示画面７４０は、図７に示す総括用シート４００に対応する画面であり、図示のとおり、表題パート７４１（シート種別表示エリア４１０に対応）、シーン図パート７４２（総括用シート４００には対応エリアは存在しない）、インストラクションパート７４３（この装置に固有のパート）、コマンドパート７４４（この装置に固有のパート）、総括質問パート７４５（総括質問エリア４９０に対応）の各パートを有している。
【０１４６】
これら各パートの内容および入力要領は、図７に示す総括用シート４００についての内容および記入要領とほぼ同じである。なお、シーン図パート７４２には、図２５のシーン図パート７３２に描かれた絵と同じ絵を表示するようにしている。このシーン図パート７４２に対しては、描画作業を行う必要がないので、コマンドパート７４４には、描画に必要なコマンドボタンは設けられていない。また、この第４の表示画面７４０が最終頁になるので、矢印ボタンとしては、前頁に送る左矢印ボタンのみが設けられている。
【０１４７】
ユーザが、総括質問パート７４５への入力を終えて、コマンドパート７４４の終了ボタンを押すと、すべての作業を完了することができる。この実施例の場合、コマンドパート７４４にはプリントボタンが設けられており、ユーザがプリントボタンを押すことにより、これまで入力作業を行ってきた第１の表示画面７１０、第２の表示画面７２０、第３の表示画面７３０、第４の表示画面７４０の内容を紙面上にプリントアウトすることも可能である。
【０１４８】
以上、図１６に示す精神疾患の治療装置６００の処理動作を具体例を示しながら説明したが、もちろん、これらの具体例は一実施例を示すものであり、本発明に係る精神疾患の治療装置は、これらの具体例に限定されるものではない。特に、インストラクションパート７１３，７２３，７３３，７４３に例示した指示は、説明の便宜上、極めて簡単な文字列による指示になっているが、実用上は、より詳しい指示を行うのが好ましい。もちろん、文字列による指示の代わりに、音声による指示や動画による指示を行うようにしてもよい。
【０１４９】
また、上例の場合、１つの画面には、１組の感情リストパートＬのみを設けているが、もちろん、自己感情選択用の感情リストと相手感情選択用の感情リストを別々に設けてもかまわない。ただ、治療用シートという物理的な媒体を用いる実施例の場合は、感情リストに丸印を記入して選択を行うことになるため、自己感情選択用の感情リストと相手感情選択用の感情リストとを別々に設けているが、コンピュータを利用して構築される精神疾患の治療装置の場合は、上例のように、選択操作を受け付けるための共用の感情リストを１組だけ設けておけば十分である。
【０１５０】
なお、図１６に示す精神疾患の治療装置６００は、インターネットなどのネットワークを介して接続されたサーバコンピュータとクライアントコンピュータ（タブレットやスマートフォンなどの電子機器も含む）とによって構成することも可能である。たとえば、指示入力ユニット６１０と情報表示ユニット６２０をクライアントコンピュータによって構成し、情報処理ユニット６３０の一部分をクライアントコンピュータで構成し、残りの一部分をサーバコンピュータで構成することも可能である。
【産業上の利用可能性】
【０１５１】
本発明に係る精神疾患の治療用シート、精神疾患の治療用具、精神疾患の治療装置は、人間関係に関連した精神疾患の治療の用に供することができ、医療用具や医療機器を提供する産業に広く利用することが可能である。なお、本願では、「治療」という文言を広義で用いており、資格を有する医師によって施術される法律的な医療行為だけに限定されず、様々な企業や団体に所属するコンサルタントや相談員によって施術される行為も広く含むものである。要するに、本発明にいう「治療」とは、精神的に落ち込んだ状態を快方に向かわせるための行為を広く意味するものである。また、本発明にいう「精神疾患」とは、広く精神的に落ち込んだ状態を指す。一般に心因性の精神疾患と健常者の落ち込んだ状態との間には明確な境目はなく、両者の相違は、あくまでスペクトラム状の分類であるとされている。そこで本願では、精神的に落ち込んでおり何かしらの「治療」を必要とするもの、あるいは理想的な精神状態に対し、現状の精神状態にギャップがあり改善を望むものを、広く「精神疾患」と呼ぶことにする。
【符号の説明】
【０１５２】
１００：第１の治療用シート
１１０：シート種別表示エリア
１２０：自己情報記入エリア
１２１：自己感情記入欄
１２２：自己メッセージ記入欄
１３０：相手情報記入エリア
１３１：相手感情記入欄
１３２：相手メッセージ記入欄
１４０：図描画エリア
１５０：第三者コメントエリア
２００：第２の治療用シート
２１０：シート種別表示エリア
２２０：自己情報記入エリア
２２１：自己感情記入欄
２２２：自己メッセージ記入欄
２３０：相手情報記入エリア
２３１：相手感情記入欄
２３２：相手メッセージ記入欄
２４０：図描画エリア
２５０：第三者コメントエリア
３００：第３の治療用シート
３１０：シート種別表示エリア
３２０：自己情報記入エリア
３２１：自己感情記入欄
３２２：自己メッセージ記入欄
３３０：相手情報記入エリア
３３１：相手感情記入欄
３３２：相手メッセージ記入欄
３４０：図描画エリア
３５０：第三者コメントエリア
３５１：特定人物欄
３５２：一般第三者欄
４００：総括用シート
４１０：シート種別表示エリア
４９０：総括質問エリア
５００：作業説明書
６００：精神疾患の治療装置
６１０：指示入力ユニット
６２０：情報表示ユニット
６３０：情報処理ユニット
６３１：描画処理部
６３２：自己感情選択部
６３３：自己メッセージ入力部
６３４：相手感情選択部
６３５：相手メッセージ入力部
６３６：第三者コメント入力部
６３７：統括制御部
７１０：第１の表示画面
７１１：表題パート
７１２：シーン図パート
７１３：インストラクションパート
７１４：コマンドパート
７１５：自己感情パート
７１６：相手感情パート
７１７：自己メッセージパート
７１８：相手メッセージパート
７１９：第三者パート
７２０：第２の表示画面
７２１：表題パート
７２２：シーン図パート
７２３：インストラクションパート
７２４：コマンドパート
７２５：自己感情パート
７２６：相手感情パート
７２７：自己メッセージパート
７２８：相手メッセージパート
７２９：第三者パート
７３０：第３の表示画面
７３１：表題パート
７３２：シーン図パート
７３３：インストラクションパート
７３４：コマンドパート
７３５：自己感情パート
７３６：相手感情パート
７３７：自己メッセージパート
７３８：相手メッセージパート
７３９ａ：特定人物パート
７３９ｂ：第三者パート
７４０：第４の表示画面
７４１：表題パート
７４２：シーン図パート
７４３：インストラクションパート
７４４：コマンドパート
７４５：総括質問パート
Ｃ：中心線
Ｌ：感情リストパート
【手続補正２】
【補正対象書類名】特許請求の範囲
【補正対象項目名】全文
【補正方法】変更
【補正の内容】
【特許請求の範囲】
【請求項１】
自己と特定の相手との間の人間関係に関連した精神疾患の治療に用いる精神疾患の治療用シートであって、
任意の図を描画するための空白部分を有する図描画エリアと、自己の気持ちに関する情報を記入するための自己情報記入エリアと、相手の気持ちに関する情報を記入するための相手情報記入エリアと、第三者のコメントを記入するための第三者コメントエリアと、を有し、
前記自己情報記入エリアには、自己の感情を記入するための自己感情記入欄が設けられ、前記相手情報記入エリアには、相手の感情を記入するための相手感情記入欄が設けられており、
前記自己感情記入欄および前記相手感情記入欄には、それぞれ、感情を示す単語を複数列挙した感情リストが配置されていることを特徴とする精神疾患の治療用シート。
【請求項２】
請求項１に記載の精神疾患の治療用シートにおいて、
自己感情記入欄および相手感情記入欄には、罫線で囲まれた複数のセルにそれぞれ感情を示す単語が記載された感情リストが配置されてことを特徴とする精神疾患の治療用シート。
【請求項３】
請求項１または２に記載の精神疾患の治療用シートにおいて、
図描画エリアには、図を描くエリアであることを示す表題が記載されており、自己情報記入エリアには、自己の情報を記入するエリアであることを示す表題が記載されており、相手情報記入エリアには、相手の情報を記入するエリアであることを示す表題が記載されており、第三者コメントエリアには、第三者のコメントを記入するエリアであることを示す表題が記載されていることを特徴とする精神疾患の治療用シート。
【請求項４】
請求項１〜３のいずれかに記載の精神疾患の治療用シートにおいて、
シートを縦方向に貫く中心線を定義したときに、自己情報記入エリアは前記中心線よりも左側に配置され、相手情報記入エリアは前記中心線よりも右側に配置され、図描画エリアおよび第三者コメントエリアは前記中心線を跨いで、前記中心線が中心となるように配置されていることを特徴とする精神疾患の治療用シート。
【請求項５】
請求項１〜４のいずれかに記載の精神疾患の治療用シートにおいて、
自己情報記入エリアは、更に、自己から相手に伝えたいメッセージを記入するための自己メッセージ記入欄を含んでおり、
相手情報記入エリアは、更に、相手から自己に伝えたいメッセージを記入するための相手メッセージ記入欄を含んでいることを特徴とする精神疾患の治療用シート。
【請求項６】
請求項５に記載の精神疾患の治療用シートにおいて、
図描画エリア、自己感情記入欄、自己メッセージ記入欄、相手感情記入欄、相手メッセージ記入欄、第三者コメントエリアの順序で記入を行うことを示すための記入順序符号が各エリアもしくは各欄に記載されていることを特徴とする精神疾患の治療用シート。
【請求項７】
請求項５に記載の精神疾患の治療用シートを３組有する精神疾患の治療用具であって、
第１の治療用シートには、当該第１の治療用シートが第１番目の記入対象となるシートであることを示すシート種別記号が表示されたシート種別表示エリアが設けられており、
第２の治療用シートには、当該第２の治療用シートが第２番目の記入対象となるシートであることを示すシート種別記号が表示されたシート種別表示エリアが設けられており、
第３の治療用シートには、当該第３の治療用シートが第３番目の記入対象となるシートであることを示すシート種別記号が表示されたシート種別表示エリアが設けられており、
前記第２の治療用シートには、前記第１の治療用シートの自己情報記入エリアに記入された内容が相手に伝えられ、前記第１の治療用シートの相手情報記入エリアに記入された内容が自己に伝えられたという想定で、当該第２の治療用シートへの記入を行う旨の指示が記載されており、
前記第３の治療用シートには、前記第２の治療用シートの自己情報記入エリアに記入された内容が相手に伝えられ、前記第２の治療用シートの相手情報記入エリアに記入された内容が自己に伝えられたという想定で、当該第３の治療用シートへの記入を行う旨の指示が記載されていることを特徴とする精神疾患の治療用具。
【請求項８】
請求項７に記載の精神疾患の治療用具において、
第３の治療用シートの第三者コメントエリアには、特定の人物の感情およびアドバイスを記入する特定人物欄と、一般第三者のコメントを記入するための一般第三者欄と、が設けられており、
第１の治療用シートおよび第２の治療用シートには、図描画エリア、自己感情記入欄、自己メッセージ記入欄、相手感情記入欄、相手メッセージ記入欄、第三者コメントエリアの順序で記入を行うことを示すための記入順序符号が各エリアもしくは各欄に記載されており、
第３の治療用シートには、図描画エリア、特定人物欄、自己感情記入欄、自己メッセージ記入欄、相手感情記入欄、相手メッセージ記入欄、一般第三者欄の順序で記入を行うことを示すための記入順序符号が各エリアもしくは各欄に記載されていることを特徴とする精神疾患の治療用具。
【請求項９】
請求項７または８に記載の精神疾患の治療用具において、
第１の治療用シート、第２の治療用シート、第３の治療用シートに加えて、更に、総括用シートを有し、
前記総括用シートには、当該総括用シートが第４番目の記入対象となるシートであることを示すシート種別記号が表示されたシート種別表示エリアが設けられており、前記第１〜第３の治療用シートの記入内容の変遷を振り返ったときの感想を記入する旨の指示が記載されていることを特徴とする精神疾患の治療用具。
【請求項１０】
自己と特定の相手との間の人間関係に関連した精神疾患の治療に用いる精神疾患の治療装置であって、
治療を受けるユーザからの指示操作を入力する指示入力ユニットと、前記ユーザに対する提示情報をディスプレイ画面上に表示する情報表示ユニットと、前記指示入力ユニットが入力した指示操作に基づいて所定の提示情報を作成し、これを前記情報表示ユニットに与える情報処理ユニットと、を備え、
前記情報処理ユニットは、
前記ユーザに対して、自己と相手についての特定のシーンを示す図を描く旨の指示を与え、前記ユーザの指示操作に基づいてシーン図を作成し、これをディスプレイ画面上に表示する処理を行う描画処理部と、
前記シーン図と、感情を示す単語を複数列挙した感情リストと、をディスプレイ画面上に表示させ、前記シーン図について前記ユーザ自身が抱く感情を、表示中の感情リストの中から選択する旨の指示を前記ユーザに対して与えることにより、特定の感情を自己感情として選択させる処理を行う自己感情選択部と、
前記シーン図と、前記自己感情と、をディスプレイ画面上に表示させ、前記シーン図について自己が相手に伝えたいメッセージを入力する旨の指示を前記ユーザに対して与えることにより、特定のメッセージを自己メッセージとして入力する処理を行う自己メッセージ入力部と、
前記シーン図と、感情を示す単語を複数列挙した感情リストと、をディスプレイ画面上に表示させ、前記シーン図について相手が抱くであろうと思われる感情を、表示中の感情リストの中から選択する旨の指示を前記ユーザに対して与えることにより、特定の感情を相手感情として選択させる処理を行う相手感情選択部と、
前記シーン図と、前記相手感情と、をディスプレイ画面上に表示させ、前記シーン図について相手が自己に伝えたいであろうと思われるメッセージを入力する旨の指示を前記ユーザに対して与えることにより、特定のメッセージを相手メッセージとして入力する処理を行う相手メッセージ入力部と、
前記シーン図と、前記自己感情および前記自己メッセージと、前記相手感情および前記相手メッセージと、をディスプレイ画面上に表示させ、前記シーン図に描かれているシーンに第三者が存在したと仮定した場合に、当該第三者が言及するであろうと思われるコメントを入力する旨の指示を前記ユーザに対して与えることにより、特定のコメントを第三者コメントとして入力する処理を行う第三者コメント入力部と、
前記描画処理部、前記自己感情選択部、前記自己メッセージ入力部、前記相手感情選択部、前記相手メッセージ入力部、前記第三者コメント入力部が、所定の順序で順番に処理を行うように制御する統括制御部と、
を有することを特徴とする精神疾患の治療装置。
【請求項１１】
請求項１０に記載の精神疾患の治療装置において、
描画処理部、自己感情選択部、自己メッセージ入力部、相手感情選択部、相手メッセージ入力部、第三者コメント入力部が、同一の表示画面を利用してユーザからの指示操作を入力し、当該指示操作によって入力された情報を当該同一の表示画面に表示させる一巡の情報入力機能を有し、
統括制御部が、第１の表示画面を利用した第１巡目の情報入力、第２の表示画面を利用した第２巡目の情報入力、第３の表示画面を利用した第３巡目の情報入力が順に行われるよう制御を行うことを特徴とする精神疾患の治療装置。
【請求項１２】
請求項１０または１１に記載の精神疾患の治療装置としてコンピュータを機能させるプログラム。
【手続補正３】
【補正対象書類名】図面
【補正対象項目名】全図
【補正方法】変更
【補正の内容】
【図１】
2018073974.tif 000029
【図２】
2018073974.tif 000030
【図３】
2018073974.tif 000031
【図４】
2018073974.tif 000032
【図５】
2018073974.tif 000033
【図６】
2018073974.tif 000034
【図７】
2018073974.tif 000035
【図８】
2018073974.tif 000036
【図９】
2018073974.tif 000037
【図１０】
2018073974.tif 000038
【図１１】
2018073974.tif 000039
【図１２】
2018073974.tif 000040
【図１３】
2018073974.tif 000041
【図１４】
2018073974.tif 000042
【図１５】
2018073974.tif 000043
【図１６】
2018073974.tif 000044
【図１７】
2018073974.tif 000045
【図１８】
2018073974.tif 000046
【図１９】
2018073974.tif 000047
【図２０】
2018073974.tif 000048
【図２１】
2018073974.tif 000049
【図２２】
2018073974.tif 000050
【図２３】
2018073974.tif 000051
【図２４】
2018073974.tif 000052
【図２５】
2018073974.tif 000053
【図２６】
2018073974.tif 000054
【国際調査報告】
2018073974.tif 000055
2018073974.tif 000056
2018073974.tif 000057
2018073974.tif 000058
2018073974.tif 000059